(57)【特許請求の範囲】
【請求項１】
２種類のアジマスのヘッドを装架した回転ドラムにより磁気テープ表面に形成した傾斜トラックに信号を記録し再生する装置において、通常の記録信号から高速再生に用いる信号を取り出す手段と、高速再生に用いる信号を所定のトラックの所定の領域に記録する手段と、高速再生に用いる信号を記録したトラックを識別する信号を記録する手段と、トラックを識別する信号を再生する手段を有するとともに、複数の所定の倍速数（ｎ倍速）で高速再生を行う際に、前記高速再生に用いる信号を各倍速数毎に予め定められたアジマスのトラックに記録し、低速倍速再生用の信号を記録する第１のアジマスのトラックの領域Ａ、及び高速倍速再生用の信号を記録する第２のアジマスのトラックの領域Ｂとし、領域の大きさを領域Ａ＞領域Ｂとし、該領域Ａ、及び領域Ｂの両端に同一データを記録するコピーエリアを設けることを特徴とする磁気記録再生装置。
【請求項２】
複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録することを特徴とする請求項１記載の磁気記録再生装置。
【請求項３】
複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、各倍速数再生時にヘッドがトラッキング信号エリア、及びサブコードエリアを走査することを特徴とする請求項１又は請求項２記載の磁気記録再生装置。
【請求項４】
低速倍速再生用、及び高速倍速再生用のデータを記録する領域Ａ、及び領域Ｂの両端に設けるコピーエリアを５シンクブロック単位で設けることを特徴とする請求項１ないし請求項３のいずれかに記載の磁気記録再生装置。
【請求項５】
低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を同一信号とし、高速倍速再生用の信号を記録する第２のアジマスのトラックの領域Ｂをほぼ３等分し、該領域をＢ１、Ｂ２、Ｂ３とするときに、領域Ｂ１、及び領域Ｂ３に記録する信号を同一信号とすることを特徴とする請求項１ないし請求項３のいずれかに記載の磁気記録再生装置。
【請求項６】
２種類のアジマスを有するヘッドで２ヘッドで２ｎ倍速、４ヘッドで倍速（ｎは偶数）のヘッド走査軌跡の中間の軌跡位置に高速再生用データを記録することを特徴とする請求項１ないし請求項４のいずれかに記載の磁気記録再生装置。
【請求項７】
低速倍速再生用、及び高速倍速再生用のデータを記録する領域Ａ、及び領域Ｂの両端に設けるコピーエリアをテープの外側ほど多く設けることを特徴とする請求項１ないし請求項４、および請求項６のいずれかに記載の磁気記録再生装置。
【請求項８】
高速再生に用いる信号として少なくとも偶数倍速の低速倍速、正方向の高速倍速、及び逆方向の高速倍速に用いる信号を記録することを特徴とする請求項１記載の磁気記録再生装置。
【請求項９】
複数の偶数倍速の高速再生に用いる信号のうち、低速倍速再生用の信号を第１のアジマスのトラックの領域のうちヘッドの１走査につき１本のトラックの１箇所の領域に記録し、正方向の高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録することを特徴とする請求項１又は請求項５記載の磁気記録再生装置。
【請求項１０】
複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録し、各倍速数再生時にヘッドがトラッキング信号エリア、及びサブコードエリアを走査することを特徴とする請求項１、請求項８、及び請求項９のいずれかに記載の磁気記録再生装置。
【請求項１１】
第１のアジマスのトラックにおいて低速倍速再生用の信号を記録する領域Ａを設け、後続する第２のアジマスのトラックにおいて低速倍速再生用の信号を記録する領域Ｂを設けるとともに、領域Ｂの長さを領域Ａの長さのほぼ２倍とし、領域Ｂの中心のトラック内での位置をほぼ領域Ａの中心のトラック内での位置と同一にすることを特徴とする請求項１、及び請求項８ないし請求項１０のいずれかに記載の磁気記録再生装置。
【請求項１２】
領域Ｂをほぼ３等分し、該領域をＢ１、Ｂ２、Ｂ３とするときに、領域Ａに記録する信号を領域Ｂ１および領域Ｂ３に記録する信号と同一とすることを特徴とする請求項１、及び請求項８ないし請求項１１のいずれかに記載の磁気記録再生装置。
【請求項１３】
高速再生を行う速度ごとに記録する信号を各々の速度専用に構成し、複数の再生速度の信号をテープ上の異なる位置に記録することを特徴とする請求項１ないし請求項１２のいずれかに記載の磁気記録再生装置。
【請求項１４】
連続するＭ本のトラックにおいて、所定のトラックの所定の位置に所定の速度の高速再生の信号を配置するとともに、該Ｍトラックの信号の配置を単位として繰り返し記録を行うとともに、複数のＭ×ｎ倍速（ただしｎは自然数）の高速再生用の信号を記録し、各々の速度の信号をＭトラックを単位として２×ｎ回繰り返し記録することを特徴とする請求項１３記載の磁気記録再生装置。
【請求項１５】
Ｍを４とするとともに、テープ速度の制御に３種類の周波数信号ｆ０、ｆ１、ｆ０、ｆ２の繰り返しによるパイロット信号を用いることを特徴とする請求項１４記載の磁気記録再生装置。
【請求項１６】
Ｍ×ｎ倍速再生用として記録した信号を用いてＭ×ｎ倍以下の任意の偶数倍速再生を行うことを特徴とする請求項１５記載の磁気記録再生装置。
【請求項１７】
低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ誤り訂正を行うためのＥＣＣデータと画像データから成る同一の信号とし、領域Ｂの両端のコピーエリアＢ１、及びＢ２に記録する信号を、それぞれ誤り訂正を行うためのＥＣＣデータと画像データから成る同一の信号とすることを特徴とする請求項１記載の磁気記録再生装置。
【請求項１８】
低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ異なるＥＣＣデータと同一の画像データを含む信号とし、領域Ｂの両端のコピーエリアＢ１、及びＢ２に記録する信号をそれぞれ異なるＥＣＣデータと同一の画像データを含む信号とすることを特徴とする請求項１記載の磁気記録再生装置。
【請求項１９】
低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号をそれぞれ異なるＥＣＣデータとし、領域ＢのコピーエリアＢ１、及びＢ２に記録する信号をそれぞれ異なるＥＣＣデータとすることを特徴とする請求項１記載の磁気記録再生装置。
【請求項２０】
低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を誤り訂正を行うためのＥＣＣデータと画像データを含む同一の信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をＥＣＣデータと画像データを含む同一の信号とすることを特徴とする請求項１又は請求項５記載の磁気記録再生装置。
【請求項２１】
低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータと同一の画像データを含む信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をそれぞれ異なるＥＣＣデータと同一の画像データを含む信号とすることを特徴とする請求項１又は請求項５記載の磁気記録再生装置。
【請求項２２】
低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータとし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をそれぞれ異なるＥＣＣデータとすることを特徴とする請求項１又は請求項５記載の磁気記録再生装置。
【発明の詳細な説明】
【０００１】
【産業上の利用分野】
本発明は、ディジタル映像信号とディジタルオーディオ信号とを、斜めトラックのそれぞれ決められたエリアに記録するようなトラックフォーマットを有するディジタルビデオテープレコーダ（以下、ディジタルＶＴＲという）において、ディジタル映像信号とディジタルオーディオ信号とがビットストリームで入力され、このビットストリームを記録する磁気記録再生装置に関するものである。
【０００２】
【従来の技術】
図３８に、一般的な家庭用ディジタルＶＴＲのトラック図を示す。図３８において、磁気テープには斜めトラックが構成されており、一つのトラックはディジタル映像信号を記録する映像エリアと、ディジタルオーディオ信号を記録するオーディオエリアの二つのエリアに分割されている。
【０００３】
さて、このような家庭用ディジタルＶＴＲに映像およびオーディオ信号を記録するには二つの方法がある。一つは、アナログ映像信号とオーディオ信号を入力として、映像やオーディオの高能率符号化器を用いて記録する、いわゆるベースバンド記録方式である。もう一つは、ディジタル伝送されたビットストリームを記録する、いわゆるトランスペアレント記録方式である。
【０００４】
アメリカ合衆国で審議されているＡＴＶ（Ａｄｖａｎｃｅｄ  Ｔｅｌｅｖｉｓｉｏｎ）信号を記録するには、後者のトランスペアレント記録方式が適している。その理由は、ＡＴＶ信号は既にディジタル圧縮された信号であり、高能率符号化器や復号化器が不要であることや、そのまま記録するので画質の劣化がないことなどである。一方、短所としては、高速再生や、スチル、スローなどの特殊再生時の画質である。特に、ビットストリームを斜めトラックにそのまま記録しただけでは、高速再生時はほとんど画像を再生することができない。
【０００５】
さて、このようなＡＴＶ信号を記録するディジタルＶＴＲの方式として、１９９３年１０月２６日から２８日にカナダ国オタワ市で開催された“Ｉｎｔｅｒｎａｔｉｏｎａｌ  Ｗｏｒｋｓｈｏｐ  ｏｎ  ＨＤＴＶ’９３”における技術発表に、“Ａ  Ｒｅｃｏｒｄｉｎｇ  Ｍｅｔｈｏｄ  ｏｆ  ＡＴＶ  ｄａｔａ  ｏｎａ  Ｃｏｎｓｕｍｅｒ  Ｄｉｇｉｔａｌ  ＶＣＲ”がある。以下、この内容を従来例として述べる。
【０００６】
家庭用ディジタルＶＴＲのプロトタイプの基本仕様として、ＳＤ（Ｓｔａｎｄａｒｄ  Ｄｅｆｉｎｉｔｉｏｎ）モード時、ディジタル映像信号の記録レートを２５Ｍｂｐｓとして、フィールド周波数が６０Ｈｚの場合、映像の１フレームを１０トラックの映像エリアに記録するものがある。ここで、ＡＴＶ信号のデータレートを１７−１８Ｍｂｐｓとすると、このＳＤモードでＡＴＶ信号のトランスペアレント記録が可能になる。
【０００７】
図３９は、ディジタルＶＴＲの通常再生時と、高速再生時におけるヘッドトレース図である。図３９において、各トラックは違ったアジマス角度を持つヘッドにより交互に斜め記録されている。通常再生時は、テープ送り速度が記録時と同じであるので、ヘッドは記録トラックに沿って、図３９（ａ）のようにトレースすることができる。しかし、高速再生時はテープ速度が異なるためいくつかのトラックを横切ってトレースし、各同一アジマストラックの断片のみを再生することができる。図３９（ｂ）では５倍速の早送りの場合を示す。
【０００８】
ＭＰＥＧ２のビットストリームでは、イントラ符号化されたブロックのみが他のフレームを参照せずに独立に復号できる。もし、ＭＰＥＧ２のビットストリームが順番に各トラックに記録されているとしたら、高速再生時の再生データはバーストからイントラ符号のみで画像を再構成することになる。このとき、スクリーン上では、再生されるエリアは連続ではなく、また、ブロックの断片がスクリーンに広がることになる。さらに、ビットストリームは可変長符号化されているので、スクリーンのすべてが周期的に更新される保証はなく、ある一部が長い時間更新されないこともある。結果として、高速再生時の画質は十分とは言えず、家庭用ディジタルＶＴＲでは受け入れられないだろう。
【０００９】
図４０に高速再生が可能なビットストリーム記録装置のブロック図を示す。ここでは、各トラックの映像エリアを、すべてのＡＴＶ信号のビットストリームを記録するメインエリアと、高速再生時に画像の再構成に用いるビットストリームの重要な部分（ＨＰデータ）を記録する複写エリアとに分ける。高速再生時は、イントラ符号化ブロックのみが有効であるので、複写エリアにこれを記録するが、さらにデータを削減するために、すべてのイントラ符号化ブロックから低域周波数成分を抜き出して、ＨＰデータとして記録する。図４０において、１はビットストリームの入力端子、２はメインエリア用のビットストリームの出力端子、３はＨＰデータの出力端子、４は可変長復号器、５はカウンタＩ、６はデータ抜き取り回路Ｉ、７はＥＯＢ（Ｅｎｄ  ｏｆ  Ｂｌｏｃｋ）付加回路である。８はそれぞれの信号のフォーマット回路Ｉ、９は記録データの出力端子である。
【００１０】
ＭＰＥＧ２のビットストリームは入力端子１から入力され、出力端子２からそのまま出力されて、メインエリアに順次記録される。一方、入力端子１からのビットストリームは可変長復号器４にも入力され、ＭＰＥＧ２のビットストリームのシンタックスが解析され、イントラ画像を検出し、カウンタＩ５にてタイミングを発生し、データ抜き取り回路Ｉ６でイントラ画像のすべてのブロックの低域周波数成分を抜き出し、さらに、ＥＯＢ付加回路７でＥＯＢを付加して、ＨＰデータを構成し、複写エリアに記録する。
【００１１】
図４１に再生時の概念図を示す。通常再生時はメインエリア３０に記録されているすべてのビットストリームが再生され、ディジタルＶＴＲの外にあるＭＰＥＧ２復号器に送られる。複写エリアに記録されたＨＰデータは捨てられる。この選択はデータ分離で行われる。一方、高速再生時は、複写エリアのＨＰデータのみが集められて復号器に送られ、メインエリアのビットストリームは捨てられる。この選択もまたデータ分離で行われる。
【００１２】
次に、図４２に高速再生時のヘッドトレースの例を示す。テープ速度が整数倍速で、位相ロック制御されておれば、ヘッドスキャンニングは同じアジマストラックに同期する。従って、再生されるデータの位置は固定される。図４２において、再生信号の出力レベルが−６ｄＢより大きい部分が再生されると仮定すると、一つのヘッドにより網掛けした領域が再生されることになる。図４２では９倍速の例を示しており、９倍速ではこの網掛け領域の信号読みだしが保証される。従って、ＨＰデータをこのエリアに記録すれば良い。しかし、他の倍速では、信号読みだしは保証されず、いくつかのテープ速度で読み出せるようこの領域を選ぶ必要がある。
【００１３】
図４３にヘッドが同一アジマストラックに同期する３つのテープ速度のスキャン領域の例を示す。各テープ速度でスキャンされる領域には、いくつかの重複領域がある。これらの領域から複写エリアを選択し、異なるテープ速度でのＨＰデータの読みだしを保証する。図４３では、４倍、９倍、１７倍の早送りの場合を示しているが、これらのスキャン領域は、−２倍、−７倍、−１５倍の早送りの場合と同じになる。
【００１４】
いくつかのテープ速度で、全く同じ領域をヘッドがトレースするのは不可能である。それは、テープ速度によりヘッドが横切るトラック数が異なるからである。さらに、どの同一アジマストラックからもトレースできる必要がある。図４４に、異なるテープ速度のヘッドトレースの例を示す。図４４では、５倍速と９倍速の重複領域から領域１、２、３が選択されている。同じＨＰデータを９トラックに繰り返し記録することにより、ＨＰデータは５倍速、９倍速どちらでも読み出せる。
【００１５】
図４５は５倍速時のヘッドトレースの例である。図４５からわかるように、テープ速度と同じトラック数に同じＨＰデータを繰り返し記録することにより、ＨＰデータは、同一アジマストラックに同期したヘッドにより、読み出すことができる。したがって、規定倍速内の最大の高速再生を行う場合のテープ速度と同じトラック数に、ＨＰデータの複製を繰り返すことにより、ＨＰデータは、いくつかのテープ速度で、正方向、逆方向の読み出しを行う。
【００１６】
図４６に、メインエリアと複写エリアの例を示す。家庭用ディジタルＶＴＲでは、各トラックの映像エリアは１３５のシンクブロックから構成されており、メインエリアは９７シンクブロック、複写エリアは３２シンクブロックとした。この複写エリアは、図４３で示した、４、９、１７倍速に対応する重複領域を選んでいる。この場合、メインエリアのデータレートは約１７．４６Ｍｂｐｓ、複写エリアは１７回同じデータが記録されるので、約３３８．８ｋｂｐｓとなる。
【００１７】
【発明が解決しようとする課題】
従来の磁気記録再生装置は以上のように構成されているので、高速再生を行う際にトラックの曲がりや、走査軌跡の曲がりが発生した場合、あるいはテープ下端部分におけるトラック記録開始点の誤差がある場合にはこれらの発生した部分の高速再生領域のデータが再生できないという問題点があった。
【００１８】
また、複数の高速再生領域のデータをヘッドの１回の走査で再生する必要があるのでこれを満足できる所定の速度以外では再生ができないため、再生可能な速度が制限を受けるので少ないという問題点があった。
【００１９】
また、２ヘッド構成のドラムと４ヘッド構成のドラムでは４ヘッド構成のドラムの方がドラムの回転速度が半分であるのでヘッドの走査軌跡とトラックの交差角度が大きく、この結果２ヘッド構成のドラムで再生可能な高速再生領域を４ヘッド構成のドラムでは半分の高速再生速度でしか再生できないという問題点があった。
【００２０】
また、全ての再生速度で高速再生のデータを共通に使用しているので、１枚の高速再生用の画面が記録されているテープの長さ方向の領域を通過する時間によって、各速度の高速再生において１枚の画面データを再生し表示できる周期が決まるので１枚の画面データが再生される時間が速度に反比例して変化し、このため高速では画面の変化が早く、低速では変化が遅く、これらの結果全ての速度で見やすい画像を表示することができにくいという問題点があった。
【００２１】
本発明は以上のような問題点を解決するためになされたもので、トラック曲がりや走査軌跡の曲がり、及びテープ下端部分におけるが発生しても高速再生用のデータを確実に再生できる信頼性の高い磁気記録再生装置を得ることを目的とする。
【００２２】
また、本発明は多くの速度で高速再生が可能な使い勝手の良い磁気記録再生装置を得ることを目的とする。
【００２３】
また、本発明は２ヘッドと４ヘッドのどちらのヘッド構成でも同じ速度で高速再生を行うことができる磁気記録再生装置を得ることを目的とする。
【００２４】
また、本発明は複数の速度で高速再生を行うことができるとともに、どの速度でも見やすい間隔で画面の切り替えを行うことのできる磁気記録再生装置を得ることを目的とする。
【００２５】
【課題を解決するための手段】
本発明に係る磁気記録再生装置は、請求項１では、２種類のアジマスのヘッドを装架した回転ドラムにより磁気テープ表面に形成した傾斜トラックに信号を記録し再生する装置において、通常の記録信号から高速再生に用いる信号を取り出す手段と、高速再生に用いる信号を所定のトラックの所定の領域に記録する手段と、高速再生に用いる信号を記録したトラックを識別する信号を記録する手段と、トラックを識別する信号を再生する手段を有するとともに、複数の所定の倍速数（ｎ倍速）で高速再生を行う際に、前記高速再生に用いる信号を各倍速数毎に予め定められたアジマスのトラックに記録し、低速倍速再生用の信号を記録する第１のアジマスのトラックの領域Ａ、及び高速倍速再生用の信号を記録する第２のアジマスのトラックの領域Ｂとし、領域の大きさを領域Ａ＞領域Ｂとし、該領域Ａ、及び領域Ｂの両端に同一データを記録するコピーエリアを設けるように構成する。
【００２６】
また、請求項２では、前記請求項１記載の装置において複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録するように構成する。
【００２７】
また、請求項３では、前記請求項１又は請求項２記載の装置において複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、各倍速数再生時にヘッドがトラッキング信号エリア（以下、ＩＴＩエリアという）、及びサブコードエリアを走査するように構成する。
【００２９】
また、請求項４では、前記請求項１ないし請求項３のいずれかに記載の装置において低速倍速再生用、及び高速倍速再生用のデータを記録する領域Ａ、及び領域Ｂの両端に設けるコピーエリアを５シンクブロック単位で設けるように構成する。
【００３０】
また、請求項５では、前記請求項１ないし請求項４のいずれかに記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を同一信号とし、高速倍速再生用の信号を記録する第２のアジマスのトラックの領域Ｂをほぼ３等分し、該領域をＢ１、Ｂ２、Ｂ３とするときに、領域Ｂ１、及び領域Ｂ３に記録する信号を同一信号とするように構成する。
【００３１】
また、請求項６では、前記請求項１ないし請求項４のいずれかに記載の装置において２種類のアジマスを有するヘッドで２ヘッドで２ｎ倍速、４ヘッドで倍速（ｎは偶数）のヘッド走査軌跡の中間の軌跡位置に高速再生用データを記録するように構成する。
【００３２】
また、請求項７では、前記請求項１ないし請求項４、及び請求項６のいずれかに記載の装置において低速倍速再生用、及び高速倍速再生用のデータを記録する領域Ａ、及び領域Ｂの両端に設けるコピーエリアをテープの外側ほど多く設けるように構成する。
【００３３】
また、請求項８では、前記請求項１記載の装置において高速再生に用いる信号として偶数倍速の低速倍速、正方向の高速倍速、及び逆方向の高速倍速に用いる信号を記録するように構成する。
【００３４】
また、請求項９では、前記請求項１又は請求項５記載の装置において複数の偶数倍速の高速再生に用いる信号のうち、低速倍速再生用の信号を第１のアジマスのトラックの領域のうちヘッドの１走査につき１本のトラックの１箇所の領域に記録し、正方向の高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録するように構成する。
【００３５】
また、請求項１０では、前記請求項１、請求項８、及び請求項９のいずれかに記載の装置において複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録し、各倍速数再生時にヘッドがＩＴＩエリア、及びサブコードエリアを走査するように構成する。
【００３６】
また、請求項１１では、前記請求項１、及び請求項８ないし請求項１０のいずれかに記載の装置において第１のアジマスのトラックにおいて低速倍速再生用の信号を記録する領域Ａを設け、後続する第２のアジマスのトラックにおいて低速倍速再生用の信号を記録する領域Ｂを設けるとともに、領域Ｂの長さを領域Ａの長さのほぼ２倍とし、領域Ｂの中心のトラック内での位置をほぼ領域Ａの中心のトラック内での位置と同一にするように構成する。
【００３７】
また、請求項１２では、前記請求項１、及び請求項８ないし請求項１１のいずれかに記載の装置において領域Ｂをほぼ３等分し、該領域をＢ１、Ｂ２、Ｂ３とするときに、領域Ａに記録する信号を領域Ｂ１および領域Ｂ３に記録する信号と同一とするように構成する。
【００３８】
また、請求項１３では、前記請求項１ないし請求項１２のいずれかに記載の装置において高速再生を行う速度ごとに記録する信号を各々の速度専用に構成し、複数の再生速度の信号をテープ上の異なる位置に記録するように構成する。
【００３９】
また、請求項１４では、前記請求項１３記載の装置において連続するＭ本のトラックにおいて、所定のトラックの所定の位置に所定の速度の高速再生の信号を配置するとともに、該Ｍトラックの信号の配置を単位として繰り返し記録を行うとともに、複数のＭ×ｎ倍速（ただしｎは自然数）の高速再生用の信号を記録し、各々の速度の信号をＭトラックを単位として２×ｎ回繰り返し記録するように構成する。
【００４０】
また、請求項１５では、前記請求項１４記載の装置においてＭを４とするとともに、テープ速度の制御に３種類の周波数信号ｆ０、ｆ１、ｆ０、ｆ２の繰り返しによるパイロット信号を用いるように構成する。
【００４１】
また、請求項１６では、前記請求項１５記載の装置においてＭ×ｎ倍速再生用として記録した信号を用いてＭ×ｎ倍以下の任意の偶数倍速再生を行うように構成する。
【００４２】
また、請求項１７では、前記請求項１記載の装置において低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ誤り訂正を行うためのＥＣＣデータと画像データから成る同一の信号とし、領域Ｂの両端のコピーエリアＢ１、及びＢ２に記録する信号を、それぞれ誤り訂正を行うためのＥＣＣデータと画像データから成る同一の信号とするように構成する。
【００４３】
また、請求項１８では、前記請求項１記載の装置において低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ異なるＥＣＣデータと同一の画像データを含む信号とし、領域Ｂの両端のコピーエリアＢ１、及びＢ２に記録する信号をそれぞれ異なるＥＣＣデータと同一の画像データを含む信号とするように構成する。
【００４４】
また、請求項１９では、前記請求項１記載の装置において低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号をそれぞれ異なるＥＣＣデータとし、領域ＢのコピーエリアＢ１、及びＢ２に記録する信号をそれぞれ異なるＥＣＣデータとするように構成する。
【００４５】
また、請求項２０では、前記請求項１又は請求項４記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を誤り訂正を行うためのＥＣＣデータと画像データを含む同一の信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をＥＣＣデータと画像データを含む同一の信号とするように構成する。
【００４６】
また、請求項２１では、前記請求項１又は請求項４記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータと同一の画像データを含む信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をそれぞれ異なるＥＣＣデータと同一の画像データを含む信号とするように構成する。
【００４７】
また、請求項２２では、前記請求項１または請求項４記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータとし、高速倍速再生用の信号を記録する第２のアジマスのトラックの領域Ｂをほぼ３等分し、該領域をＢ１、Ｂ２、Ｂ３とするときに、領域Ｂ１、及び領域Ｂ３に記録する信号をそれぞれ異なるＥＣＣデータとするように構成する。
【００４８】
【作用】
本発明に係る磁気記録再生装置は、請求項１においては、２種類のアジマスのヘッドを装架した回転ドラムにより磁気テープ表面に形成した傾斜トラックに信号を記録し再生する装置において、通常の記録信号から高速再生に用いる信号を取り出し、高速再生に用いる信号を所定のトラックの所定の領域に記録し、高速再生に用いる信号を記録したトラックを識別する信号を記録し、トラックを識別する信号を再生するとともに、複数の所定の倍速数（ｎ倍速）で高速再生を行う際に、前記高速再生に用いる信号を各倍速数毎に予め定められたアジマスのトラックに記録し、低速倍速再生用の信号を記録する第１のアジマスのトラックの領域Ａ、及び高速倍速再生用の信号を記録する第２のアジマスのトラックの領域Ｂとし、領域の大きさを領域Ａ＞領域Ｂとし、該領域Ａ、及び領域Ｂの両端に同一データを記録するコピーエリアを設けるものである。
【００４９】
また、請求項２においては、前記請求項１記載の装置において複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録するものである。
【００５０】
また、請求項３においては、前記請求項１又は請求項２の装置において複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、各倍速数再生時にヘッドがＩＴＩエリア、及びサブコードエリアを走査するものである。
【００５２】
また、請求項４においては、前記請求項１ないし請求項３のいずれかに記載の装置において低速倍速再生用、及び高速倍速再生用のデータを記録する領域Ａ、及び領域Ｂの両端に設けるコピーエリアを５シンクブロック単位で設けるものである。
【００５３】
また、請求項５においては、前記請求項１ないし請求項４のいずれかに記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を同一信号とし、高速倍速再生用の信号を記録する第２のアジマスのトラックの領域Ｂをほぼ３等分し、該領域をＢ１、Ｂ２、Ｂ３とするときに、領域Ｂ１、及び領域Ｂ３に記録する信号を同一信号とするものである。
【００５４】
また、請求項６においては、前記請求項１ないし請求項４のいずれかに記載の装置において２種類のアジマスを有するヘッドで２ヘッドで２ｎ倍速、４ヘッドで倍速（ｎは偶数）のヘッド走査軌跡の中間の軌跡位置に高速再生用データを記録するものである。
【００５５】
また、請求項７においては、前記請求項１ないし請求項４、及び請求項６のいずれかに記載の装置において低速倍速再生用、及び高速倍速再生用のデータを記録する領域Ａ、及び領域Ｂの両端に設けるコピーエリアをテープの外側ほど多く設けるものである。
【００５６】
また、請求項８においては、前記請求項１記載の装置において高速再生に用いる信号として偶数倍速の低速倍速、正方向の高速倍速、及び逆方向の高速倍速に用いる信号を記録するものである。
【００５７】
また、請求項９においては、前記請求項１又は請求項５記載の装置において複数の偶数倍速の高速再生に用いる信号のうち、低速倍速再生用の信号を第１のアジマスのトラックの領域のうちヘッドの１走査につき１本のトラックの１箇所の領域に記録し、正方向の高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録するものである。
【００５８】
また、請求項１０においては、前記請求項１、請求項８、及び請求項９のいずれかに記載の装置において複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録し、各倍速数再生時にヘッドがＩＴＩエリア、及びサブコードエリアを走査するものである。
【００５９】
また、請求項１１においては、前記請求項１、及び請求項８ないし請求項１０のいずれかに記載の装置において第１のアジマスのトラックにおいて低速倍速再生用の信号を記録する領域Ａを設け、後続する第２のアジマスのトラックにおいて低速倍速再生用の信号を記録する領域Ｂを設けるとともに、領域Ｂの長さを領域Ａの長さのほぼ２倍とし、領域Ｂの中心のトラック内での位置をほぼ領域Ａの中心のトラック内での位置と同一にするものである。
【００６０】
また、請求項１２においては、前記請求項１、及び請求項８ないし請求項１１のいずれかに記載の装置において領域Ｂをほぼ３等分し、該領域をＢ１、Ｂ２、Ｂ３とするときに、領域Ａに記録する信号を領域Ｂ１および領域Ｂ３に記録する信号と同一とするものである。
【００６１】
また、請求項１３においては、前記請求項１ないし請求項１２のいずれかに記載の装置において高速再生を行う速度ごとに記録する信号を各々の速度専用に構成し、複数の再生速度の信号をテープ上の異なる位置に記録するものである。
【００６２】
また、請求項１４においては、前記請求項１３記載の装置において連続するＭ本のトラックにおいて、所定のトラックの所定の位置に所定の速度の高速再生の信号を配置するとともに、該Ｍトラックの信号の配置を単位として繰り返し記録を行うとともに、複数のＭ×ｎ倍速（ただしｎは自然数）の高速再生用の信号を記録し、各々の速度の信号をＭトラックを単位として２×ｎ回繰り返し記録するものである。
【００６３】
また、請求項１５においては、前記請求項１４記載の装置においてＭを４とするとともに、テープ速度の制御に３種類の周波数信号ｆ０、ｆ１、ｆ０、ｆ２の繰り返しによるパイロット信号を用いるものである。
【００６４】
また、請求項１６においては、前記請求項１５記載の装置においてＭ×ｎ倍速再生用として記録した信号を用いてＭ×ｎ倍以下の任意の偶数倍速再生を行うものである。
【００６５】
また、請求項１７においては、前記請求項１記載の装置において低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ誤り訂正を行うためのＥＣＣデータと画像データから成る同一の信号とし、領域Ｂの両端のコピーエリアＢ１、及びＢ２に記録する信号を、それぞれ誤り訂正を行うためのＥＣＣデータと画像データから成る同一の信号とするものである。
【００６６】
また、請求項１８においては、前記請求項１記載の装置において低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ異なるＥＣＣデータと同一の画像データを含む信号とし、領域Ｂの両端のコピーエリアＢ１、及びＢ２に記録する信号をそれぞれ異なるＥＣＣデータと同一の画像データを含む信号とするものである。
【００６７】
また、請求項１９においては、前記請求項１記載の装置において低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号をそれぞれ異なるＥＣＣデータとし、領域ＢのコピーエリアＢ１、及びＢ２に記録する信号をそれぞれ異なるＥＣＣデータとするものである。
【００６８】
また、請求項２０においては、前記請求項１又は請求項４記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を誤り訂正を行うためのＥＣＣデータと画像データを含む同一の信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をＥＣＣデータと画像データを含む同一の信号とするものである。
【００６９】
また、請求項２１においては、前記請求項１又は請求項４記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータと同一の画像データを含む信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をそれぞれ異なるＥＣＣデータと同一の画像データを含む信号とするものである。
【００７０】
また、請求項２２においては、前記請求項１又は請求項４記載の装置において低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータとし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をそれぞれ異なるＥＣＣデータとするものである。
【００７１】
【実施例】
実施例１．
本発明の一実施例を図１に示す。図１において、１０１はビットストリーム入力端子、１０２はメインエリア用ビットストリーム出力端子、１０３は低速倍用データ出力端子、１０４は高速倍用データ出力端子である。１０５はトランスポートヘッダを解析し、トランスポートヘッダ及びイントラデータを含んだトランスポートパケットを出力するＴＰヘッダ解析回路、１０６は分離されたトランスポートヘッダに修正を加えるＴＰヘッダ修正回路、１０７はトランスポートパケットをビットストリームに変換するｄｅ−Ｐａｃｋｅｔ回路、１０８はビットストリーム中に含まれるシーケンスヘッダやピクチャヘッダ等のヘッダを解析し、各ヘッダとイントラデータを出力するヘッダ解析回路、１０９はイントラのビットストリームから各再生速度における特再データを形成し、出力する特再データ作成回路である。１１１は低速倍用データにヘッダ解析回路１０８で取りだした各ヘッダの中から必要なヘッダを付加していくヘッダ付加回路、１１１はトランスポートパケットのデータの大きさにパケット化する為のＰａｃｋｅｔ回路、１１２は修正したトランスポートヘッダを付加する修正ＴＰヘッダ付加回路、１１３はＴＰヘッダ修正回路１０６とヘッダ付加回路１１０とＰａｃｋｅｔ回路１１１と修正ＴＰヘッダ付加回路１１２を合わせたもので低速倍用データ作成回路である。１１４は高速倍用データ作成回路である。ここで高速倍用データ作成回路１１４は低速倍用データ作成回路１１３と同様の構成になっている。
【００７２】
次に動作について説明する。ビットストリーム入力端子１０１から入力されたビットストリームは、メインエリア用のデータとしてメインエリア用ビットストリーム出力端子１０２から出力される。またＴＰヘッダ解析回路１０５にも導かれる。ＴＰヘッダ解析回路１０５では入力されたビットストリームからトランスポートパケットのヘッダを検出し、該ヘッダを解析し、続くビットストリーム中にイントラデータが含まれている場合にはそのトランスポートパケットをｄｅ−Ｐａｃｋｅｔ回路１０７に出力し、またそのトランスポートヘッダをＴＰヘッダ修正回路１０６に出力する。
【００７３】
ｄｅ−Ｐａｃｋｅｔ回路１０７では、入力されたトランスポートパケットのパケットを分解し、ビットストリームとしてヘッダ解析回路１０８に出力する。ヘッダ解析回路１０８では、入力されたビットストリームからシーケンスヘッダ、ピクチャヘッダ等のヘッダを解析し、イントラデータのみを特再データ作成回路１０９に出力し、該ヘッダをヘッダ付加回路１１０に出力する。
【００７４】
特再データ作成回路１０９では入力されたイントラデータから低速倍用の特再データ、高速倍用の特再データを形成する。続く処理は各再生速度において同様であるので、ここでは低速倍用データ作成について述べる。特再データ作成回路１０９から出力された低速倍用データは低速倍用データ作成回路１１３に入力される。低速倍用データ作成回路１１３内のヘッダ付加回路１１０に入力された低速倍用データは、ヘッダ解析回路１０８から入力される各ヘッダのうち必要なヘッダが随時付加され、Ｐａｃｋｅｔ回路１１１に出力される。Ｐａｃｋｅｔ回路１１１では、ヘッダ付加回路１１０で必要なヘッダが付加された低速倍用のデータをトランスポートパケットのデータの大きさ毎にパケット化する。パケット化された低速倍用のデータは修正ＴＰヘッダ付加回路１１２で修正トランスポートヘッダを付加されて出力される。修正トランスポートヘッダはＴＰヘッダ解析回路１０５で分離されたトランスポートヘッダをＴＰヘッダ修正回路１０６で適当な形に修正したものである。こうして低速倍用の特再データをトランスポートパケットの形に変換し、低速倍用データ出力端子１０３から出力する。
【００７５】
ここでは低速倍用データのトランスポートパケット化について述べたが、高速倍用データも同様の処理が施される。特再データ作成回路１０９から出力される高速倍用の特再データは高速倍用データ作成回路１１４に入力され、それぞれヘッダ、修正トランスポートヘッダが付加され、トランスポートパケットの形で高速倍用データ出力端子１０４から出力される。
【００７６】
さらに特再データ作成回路１０９について詳しく述べる。図２に特再データ作成回路１０９の１実施例を示す。１２０はイントラデータのビットストリームを入力する入力端子、１２１は低速倍用のデータを作成するための可変長復号器Ａ、１２２は高速倍用の特再データを作成するための可変長復号器Ｂである。１２３はカウンタＡ、１２４はカウンタＢ、１２５は低速倍用の特再データを抜き取るデータ抜き取り回路Ａ、１２６は高速倍用の特再データを抜き取るデータ抜き取り回路Ｂ、１２７は低速倍用の特再データにＥＯＢ（Ｅｎｄ  Ｏｆ  Ｂｌｏｃｋ）コードを付加するＥＯＢ付加回路Ａ、１２８は高速倍用の特再データにＥＯＢを付加するＥＯＢ付加回路Ｂである。１２９は低速倍用の特再データを出力する出力端子、１３０は高速倍用の特再データを出力する出力端子である。
【００７７】
図２の動作について説明する。可変長復号器Ａ１２１では入力されたビットストリームを可変長復号する。その結果から復号されたＤＣＴ係数の個数をカウンタＡ１２３がカウントし、データ抜き取り回路Ａ１２５にその結果を出力する。データ抜き取り回路Ａ１２５では、カウンタＡ１２３からの入力で所定のタイミングで入力ビットストリームから所定個数のＤＣＴ係数分のビットストリームを抜き取る。カウンタＢ１２４とデータ抜き取り回路Ｂ１２６も上記と同様の動作を行う。データ抜き取り回路Ａ１２５では低速倍用の特再データを入力されたビットストリームから抜き取り、データ抜き取り回路Ｂ１２６は高速倍用の特再データを入力されたビットストリームから抜き取る。抜き取られた低速倍用の特再データはＥＯＢ付加回路Ａ１２７でＥＯＢコードを付加され、出力端子１２９から低速倍用データとして出力される。抜き取られた高速倍用の特再データはＥＯＢ付加回路Ｂ１３０でＥＯＢコードを付加され、出力端子１３０から高速倍用データとして出力される。
【００７８】
この時データを抜き取るタイミングはそれぞれのデータ抜き取り回路において同一でもかまわないし、異なっていてもかまわない。タイミングが異なるということは、記録される１映像ブロック（符号化器側で直行変換を行った単位）内のＤＣＴ係数の個数が異なることになる。特再データが記録される特再エリアは後述するように限られているので、該特再エリアが同一面積で有れば、１映像ブロックのＤＣＴ係数の個数を多くすると記録する特再エリアが多く必要となり、再生時の画面のリフレッシュが遅くなる。そのかわり画質は良くなる。このリフレッシュと画質のトレードオフでデータを抜き取るタイミングを決定すれば良い。
【００７９】
続いて図３において、メインエリア用のビットストリームと各倍速用の特再データの合成について説明する。１４０はメインエリア用のビットストリームを入力する入力端子、１４１は低速倍用の特再データを入力する入力端子、１４２は高速倍用の特再データを入力する入力端子である。１４３は入力されてくるそれぞれのデータ及びビットストリームをシンクブロックのフォーマットに変換するＳＢフォーマット回路  、１４４はＳＢデータを出力するＳＢ出力端子である。
【００８０】
図３の動作について説明する。各入力端子から入力されたデータ及びビットストリームは、ＳＢフォーマット回路１４３に入力される。ＳＢフォーマット回路１４３では、トラック毎、シンクブロック毎に各シンクブロックに記録するデータを各入力から選択する。各データにはシンクブロック単位でヘッダを付加して、後述する所定のパターンに成るようにトラック内のシンクブロックを構成し、ＳＢ出力端子１４４から出力する。
【００８１】
ＳＢフォーマット回路１４３の動作について詳細に述べる。なお本実施例では、ドラム構成は図４に示す３つのドラム構成のうちのいずれの構成でもかまわない。（ただし、２つのアジマス角をもち、一方のアジマス角を有するヘッドＡチャンネル、他方をＢチャンネルとする。）図４（ａ）は１Ｃｈ×２、（ｂ）は２Ｃｈ×１、（ｃ）は２Ｃｈ×２の構成を示す。以下、本実施例では低速倍速として４倍速、高速倍速として１６倍速を採用する場合について説明する。
【００８２】
まず、特再エリアの構成を図に示す。図５において、１５０はＢチャンネルのヘッドによる低速倍速用のデータを記録するＢチャンネル低速倍速用記録エリア、１５１ａ〜１５１ｄはＡチャンネルのヘッドによる高速倍速用のデータを記録するＡチャンネル高速倍速用記録エリアである。なお２Ｃｈ×２のドラム構成を使用した場合には１５０のデータは上記Ｂチャンネル低速倍速用データの低速再生倍速数の１／２の速度用のデータとなり、１５１ａ〜１５１ｄのデータは上記Ａチャンネル高速再生用データの高速再生倍速数の１／２の速度用のデータとなる。これは２Ｃｈ×２のドラム構成の場合、他のドラム構成に比較して、同一倍速を使用した場合にトラックと交差する回数が多くなるため、１トラック当りの再生できるシンクブロック数（以下、１トラック当りに再生できるエリアを１バーストと記す。）がほぼ１／２となることによるものである。すなわち、１Ｃｈ×２、および２Ｃｈ×１のドラム構成で使用したＮ倍速再生時に１トラック当りの再生できるシンクブロック数と、２Ｃｈ×２のドラム構成でＮ／２倍速再生時に１トラック当りの再生できるシンクブロック数はほぼ等しくなる。
【００８３】
また図５の各ブロックに割り振った番号１〜１０は同一番号であれば同一データを示すものである。なお、データ構成の詳細については後述する。
【００８４】
また、図５の１５０のデータは５０シンクブロックから成るデータであり、１５１ａ〜１５１ｄのデータは１５シンクブロックから成るデータである。なお、各データに割り当てたシンクブロック数は、高速再生時に各倍速数において収得可能なシンクブロック数を算出した結果に基づくものである。図６に各倍速再生時に１トラックより収得可能なシンクブック数を示す。図において９０００ｒｐｍシステムとは図４（ａ）、及び（ｂ）に示すヘッド配置のシステムを示し、４５００ｒｐｍとは図４（ｃ）に示すヘッド配置のシステムを示すものである。図中の各値は１０μｍ（なお、ＳＤ規格におけるトラックピッチは１０μｍとなっている。）の回転ヘッドを用いて高速再生を行った場合に各再生速度において１本のトラックより再生できるシンクブロック数を示したものである。なお、計算は１トラック（１８０度相当）のシンクブロック数を１８６シンクブロックとし、再生出力レベルが−６ｄＢより大きい部分が得られるものと仮定して算出したものである。
【００８５】
図６により、９０００ｒｐｍシステムにおいて４倍速再生時には１トラックより６２シンクブロックが収得可能である。また、１６倍速再生時には１トラックより１２シンクブロックが収得可能である。これに基づいた上で、さらにトラック曲がりや、ヘッド走査軌跡の曲がり、あるいはテープ下端部におけるトラックの記録開始位置の誤差が起こる場合を考慮したデータ構成が図５に示すものである。１５０に示す４倍速再生データの中心に３０シンクブロックのデータ２を配置し、データ２の上下に１０シンクブロックのデータ１を配置する。また、１５１ａ〜１５１ｄに示す１６倍速再生データの中心に５シンクブロックのデータ４を配置し、データ４の上下に５シンクブロックのデータ３を配置する。１５１ｂ〜１５１ｄは１５１ａと同様であるので説明は省略する。このように１バーストの中心に配置するデータ（図５においては４倍速データではデータ１、１６倍速データではデータ４、６、８、１０）の上下に同一のデータ（図５においては４倍速データではデータ２、１６倍速データでは３、５、７、９）を２重書きすることにより、上述のようなトラック曲がり、ヘッド走査軌跡の曲がり、あるいはテープ下端部におけるトラックの記録開始位置の誤差が起こり、再生位置が上下にずれる場合の影響を最小限に抑えることが出来る。
【００８６】
各特再エリアをトラックに配した一例が図７である。図の左端にトラックの下端から上端まで記録されるデータエリアの内容を示した。トラック下端から順にＩＴＩエリア、オーディオエリア、ビデオエリア、サブコードエリアである。また、図中に示したメモリはシンクブロックアドレスを示すものであり、１トラック（１８０度相当）で１８６シンクブロックを含む。図において、下端の０シンクブロックより、上端の１８５シンクブロックまでの合計１８６シンクブロックより構成される。１６０はＡチャンネルのヘッドによって記録される第１のトラックであり、１６１はＢチャンネルのヘッドによって記録される第２のトラック、１６２はＡチャンネルのヘッドによって記録される第３のトラック、１６３はＢチャンネルのヘッドによって記録される第４のトラックである。第１のトラック１６０から第４のトラック１６３の４本のトラックを１単位とする。ｆ０、ｆ１、ｆ２はトラッキングを行うための各トラックに記録されるパイロット信号を示している。エリア１５０、及び１５１ａ〜１５１ｄ以外のトラックのエリアは通常再生用のデータを記録するメインエリアとして使用される。４倍速のエリア１５０は９０００ｒｐｍのドラム構成の場合、４倍速再生時にヘッドの１スキャンで１つの集中したエリアのデータとして再生することができる。また、４５００ｒｐｍのドラム構成の場合には、４倍速の１／２の速度である２倍速再生時にヘッドの１スキャンで１つの集中したエリアのデータとして再生することができる。また、１６倍速のエリア１５１ａ〜１５１ｄは９０００ｒｐｍのドラム構成の場合、１６倍速再生時にヘッドの１スキャンで４つのエリアのデータとして再生することができる。また、４５００ｒｐｍのドラム構成の場合には、１６倍速の１／２の速度である８倍速再生時にヘッドの１スキャンで４つのエリアのデータとして再生することができる。
【００８７】
また、図７において、１６倍速用データエリアは、テープの外側のデータエリアほど同一データの二重書き部分を多くしてもよい。図７においてはテープの中心に位置する１５１ｂ、及び１５１ｃのエリアよりテープの外側にあたる１５１ａ、及び１５１ｄのエリアを多くしてもよい。このようにエリアを確保することにより、９０００ｒｐｍシステムでの１６倍速再生と、４５００ｒｐｍシステムでの８倍速とのヘッド走査軌跡の多少のずれに対応することができ、より確実に高速再生を行うことが出来る。
【００８８】
なお、４倍速用データエリア、及び１６倍速用データエリアのエリア数はこれに限るものではない。
【００８９】
また、図７に示した１単位のデータ配置によれば、４倍速再生時、及び１６倍速再生時に図に示すＩＴＩのエリアと、サブコードのエリアをヘッドがスキャンする。すなわち、ＩＴＩエリアでトラッキングを制御するためのパイロット信号ｆ０、ｆ１、ｆ２を得ることができ、また、サブコードエリアもヘッドがスキャンするため、サブコードエリアに頭出し機能である時間情報や曲番情報等の付加情報を記録することにより機能を加えることが可能である。
【００９０】
図７に示した１単位を繰り返し、記録していくことで磁気テープ上に記録パターンを形成していく。図８にその記録パターンを示す。ここで、本実施例では４倍速用のデータは２回繰り返し記録し、１６倍速用のデータは８回繰り返し記録する。
【００９１】
このように記録パターンを形成する事で、トラック曲がり、ヘッド走査軌跡の曲がり、テープ下端部におけるトラックの記録開始位置の誤差の影響を最小限に抑えることができる。またそれぞれ倍速の専用エリアを設けているので、リフレッシュや、画質をそれぞれの倍速に応じて設定することができる。また、高速再生時にＩＴＩエリア、及びサブコードエリアをヘッドがスキャンするため、トラッキング制御しながら、サブコードエリアに記録する信号を用いて頭出し機能等の付加機能を得ることが可能となる。
【００９２】
なお、図５に示した、１５０及び１５１ａ〜１５１ｄのデータ構成はこれに限るものではない。
【００９３】
実施例２．
実施例１の特再データ作成回路１０９では図２に示した形で特再データを作成したが、これにこだわるものではなく図９に示した構成でもかまわない。実施例２では特再データ作成回路１０９の別な構成について述べる。
【００９４】
図９は特再データ作成回路１０９の別な構成の一例である。１２０、１２７、１２８、１２９、１３０は図２と同様である。５００は入力されたビットストリームを可変長復号化する可変長復号器Ｃ、５０１はカウンタＣ、５０２は低速倍用のデータを抜き取るデータ抜き取り回路Ａ、５０３は高速倍用のデータを抜き取るデータ抜き取り回路Ｂである。
【００９５】
次にその動作について説明する。入力端子１２０から入力されたイントラデータは可変長復号器Ｃ５００、データ抜き取り回路Ａ５０２、データ抜き取り回路Ｂ５０３に入力される。可変長復号器Ｃ５００では、ビットストリームを可変長復号する。その結果からカウンタＣ５０１は、復号されたＤＣＴ係数をカウントし、データ抜き取り回路Ａ５０２、データ抜き取り回路Ｂ５０３にそれぞれ出力する。データ抜き取り回路Ａ５０２は、カウンタＣ５０１からの入力によって予め設定されたタイミングでデータを抜き取る。データ抜き取り回路Ｂ５０３も同様にそれぞれ独立に予め設定されたタイミングでデータを抜き取る。それぞれ抜き取られたデータはＥＯＢ付加回路Ａ１２７、ＥＯＢ付加回路Ｂ１２８でＥＯＢコードを付加され、それぞれ出力端子１２９、出力端子１３０から出力される。このように構成することで図２の場合と同様の特再データを作成することができる。
【００９６】
実施例３．
実施例３では、実施例１のように記録した磁気テープの再生を説明する。実施例１では９０００ｒｐｍシステムでは低速倍速として４倍速、高速倍速として１６倍速を設定した。また、４５００ｒｐｍシステムでは低速倍速として２倍速、高速倍速として８倍速を設定した。実施例３ではそれぞれの設定倍速での再生を行う。
【００９７】
図１０は１Ｃｈ×２のドラム構成で４倍速再生したときの図である。矢印は４倍速再生時のヘッドのスキャンを示す。この時４倍速再生用の特再エリアでトラッキング制御を行うようにする。４倍速用の特再データはＢチャンネルで記録されており、また２単位繰り返し記録されているので、２単位の一方をＡチャンネルのヘッドがスキャンし、他方をＢチャンネルのヘッドがスキャンするためＢチャンネルのヘッドによって記録された４倍速用の特再データを再生することができる。またこのとき、ヘッドはサブコードエリアもスキャンし、サブコードエリアの信号を得ることが出来る。
【００９８】
図１１は２Ｃｈ×１のドラム構成で４倍速再生したときの図である。矢印は４倍速再生時のヘッドのスキャンを示す。このとき４倍速用の特再エリアでサーボをロックするようにする。４倍速用の特再データはＢチャンネルで記録されており、また２単位繰り返し記録されているので、２単位の一方を必ず２Ｃｈのヘッドがスキャンする。よってＢチャンネルのヘッドによって記録された４倍速用の特再データを再生することができる。またこのとき、ヘッドはサブコードエリアをスキャンし、サブコードエリアの信号を得ることが出来る。
【００９９】
図１２は２Ｃｈ×２のドラム構成で２倍速再生したときの図である。矢印は２倍速再生時のヘッドのスキャンを示す。このとき４倍速用の特再エリアでサーボをロックするようにする。４倍速用の特再データはＢチャンネルで記録されており、また２単位繰り返し記録されているので、２単位の一方を必ず２Ｃｈのヘッドがスキャンする。よってＢチャンネルのヘッドによって記録された４倍速用の特再データを２倍速再生時に再生することができる。またこのとき、ヘッドはサブコードエリアをスキャンし、サブコードエリアの信号を得ることが出来る。
【０１００】
図１３は１Ｃｈ×２のドラム構成で１６倍速再生したときの図である。矢印は１６倍速再生時のヘッドのスキャンを示す。１６倍速用の特再データはＡチャンネルで記録されており、また８単位繰り返し記録されているので、８単位のうちの１単位の１６倍速用の特再データをＡチャンネルのヘッドがスキャンし、８単位のうちの別の１単位の１６倍速用の特再データをＢチャンネルのヘッドがスキャンする。よってＡチャンネルのヘッドによって記録された１６倍速用のデータを再生することができる。またこのとき、ヘッドはサブコードエリアをスキャンし、サブコードエリアの信号を得ることが出来る。なお、ＩＴＩエリアに記録されているパイロット信号によりトラッキングをかけることもできる。
【０１０１】
図１４は２Ｃｈ×１のドラム構成で１６倍速再生したときの図である。矢印は１６倍速再生時のヘッドのスキャンを示す。１６倍速用の特再データは８単位繰り返し記録されているので、８単位のうちの１単位の１６倍速用の特再データを必ず２Ｃｈのヘッドがスキャンする。よって、Ａチャンネルのヘッドによって記録された１６倍速用の特再データを再生することができる。またこのとき、ヘッドはサブコードエリアをスキャンし、サブコードエリアの信号を得ることが出来る。なお、ＩＴＩエリアに記録されているパイロット信号によりトラッキングをかけることもできる。
【０１０２】
図１５は２Ｃｈ×２のドラム構成で８倍速再生したときの図である。矢印は８倍速再生時のヘッドのスキャンを示す。１６倍速用の特再データは８単位繰り返し記録されているので、８単位のうちの１単位を必ず２Ｃｈのヘッドがスキャンする。よってＡチャンネルのヘッドによって記録された１６倍速用の特再データを８倍速再生時に再生することができる。
【０１０３】
次に、再生時の信号の処理について図１６に示す。図において、２００は再生データの再生データ入力端子、２０１はシスコン等からのモード信号を入力するモード信号入力端子、２０２は再生されたシンクブロックのＩＤを解析し、再生データを選択するＩＤ解析回路、２０３はシンクブロック単位で付加されたヘッダを解析し、再生データを選択するＳＢヘッダ解析回路、２０４は再生されたシンクブロックをトランスポートパケットに変換するＳＢｔｏＴＰ変換回路Ｉ、２０５は再生ＳＢ出力端子である。
【０１０４】
次に、その動作について説明する。再生データ入力端子から入力された再生データは（このとき既にＳＤ仕様の誤り訂正復号が行われている。）、ＩＤ解析回路２０２に入力される。このＩＤ解析回路２０２には同時に再生モードを示す信号がモード入力端子２０１より入力され、ＩＤ解析回路２０２に入力される。ＩＤ解析回路２０２では、再生モード信号より通常再生か特再かを認識し、通常再生の場合には、メインエリアに記録された通常再生用のデータをシンクブロック単位で次段に出力する。また特再であった場合は、特再エリアに記録されたデータをシンクブロック単位で次段に出力する。よって、それぞれの再生モードのときには他方のモードのデータはシンクブロック単位で捨てられる。現在のシンクブロックがメインエリアのものか特再エリアのものかはＩＤ、もしくはシンクブロック単位で付加されたヘッダを解析することで判別する。
【０１０５】
ＩＤ解析回路２０２で選択され、出力されたデータはＳＢヘッダ解析回路２０３に入力される。ＳＢヘッダ解析回路２０３では、再生モード信号の情報から再生倍速数を認識し、再生倍速数に合致した特再エリアのシンクブロックを出力する。再生モード信号と合致しなかった特再エリアのデータは捨てられる。通常再生時には入力されたデータをそのまま出力する。その判別はＩＤ、もしくはシンクブロック単位で付加されたヘッダを解析することで行う。
【０１０６】
ＳＢヘッダ解析回路２０３から出力されたデータはＳＢｔｏＴＰ変換回路２０４に入力される。ＳＢｔｏＴＰ変換回路２０４では、シンクブロックからトランスポートパケットに変換して再生ＳＢ出力端子２０５から出力する。
【０１０７】
このように通常再生時にはメインエリアに記録したデータのみを使用し、各種再生速度における特再の場合には各特再エリアに記録したデータのみを使用することでディジタルＶＴＲに要求される通常再生、各再生速度における特再を達成することができる。
【０１０８】
実施例４．
実施例３では、実施例１で設定した倍速数についての再生を行ったが、実施例４では、実施例１で設定された再生速度の特再エリアをその再生速度以下の再生速度で再生する。
【０１０９】
図１７は１Ｃｈ×２のドラム構成で２倍速再生ときの図である。矢印で示したものがヘッドのスキャンを示している。このとき４倍速用の特再データエリアでトラッキング制御を行うようにする。４倍速用の特再データは２単位繰り返し記録された２倍速用の特再エリアに記録された４倍速用の特再データを利用することで行う。このように再生すると同一の特再データを２回再生することが生じる。この場合には、どちらかのデータを捨てることで２倍速の再生を達成することができる。
【０１１０】
図１８は２Ｃｈ×１のドラム構成で２倍速再生したときの図である。矢印で示したものがヘッドのスキャンを示している。このとき４倍速用の特再データエリアでサーボをロックするようにする。２倍速用の特再データは２単位繰り返し記録された４倍速用の特再エリアに記録された４倍速用の特再データをを利用することで行う。このように再生すると同一の特再データを２回再生することが生じる。この場合にはどちらかのデータを捨てることで２倍速の再生を達成することができる。
【０１１１】
以上実施例４では４倍速用のエリアを２倍速で再生する例について述べたがこれに限るものではなく、本実施例の４倍速再生用データのように一箇所に固めて特再データを記録する場合には、設定された再生速度の特再エリアをその再生速度以下の再生速度で再生してもよい。
【０１１２】
実施例５．
実施例５では実施例１の記録フォーマットと異なる記録フォーマットについて説明する。本実施例では低速倍速数として４倍速の場合を例に説明する。また、高速倍速数として、本実施例では正方向、及び逆方向の両方を設定する。正方向の高速倍速数として１６倍速、逆方向の高速倍速数として−１６倍速の場合を例に説明する。
【０１１３】
なお、本実施例の回路、及び動作は上記実施例１において図１、図２（あるいは実施例２の図９）、図３に示したものと同一であるので説明は省略する。
【０１１４】
まず、特再エリアの構成を図１９に示す。図１９において、１７０はＡチャンネルのヘッドによる低速倍速用のデータを記録するＡチャンネル低速倍速用記録エリア、１７１はＢチャンネルのヘッドによる低速倍速用のデータを記録するＢチャンネル低速倍速用記録エリア、１７２ａ〜１７２ｆはＡチャンネルのヘッドによる正方向の高速倍速用のデータを記録するＡチャンネル正方向高速倍速用記録エリア、１７３ａ〜１７３ｆはＡチャンネルのヘッドによる逆方向の高速再生用のデータを記録するＡチャンネル逆方向高速倍速再生用記録エリアである。なお、２Ｃｈ×２のドラム構成を使用した場合には１７２ａ〜１７２ｆのデータは上記Ａチャンネル高速倍速用データの正方向高速再生倍速数の１／２の速度用のデータとなり、１７３ａ〜１７３ｆのデータは上記Ａチャンネル逆方向高速再生用データの高速再生倍速数の１／２の速度用のデータとなる。理由は実施例１で述べたとおりである。
【０１１５】
ここで、低速倍速用記録エリアについて説明する。上記のように本実施例では低速倍速用記録エリアとしてＡチャンネル低速倍速用記録エリアとＢチャンネル低速倍速用記録エリアを設ける。上記のように４５００ｒｐｍシステムのドラム構成を使用する場合、９０００ｒｐｍのドラム構成に比較して同一倍速を使用した場合、トラックと交差する回数が多くなるため、１バーストで収得できるシンクブロック数がほぼ１／２となる。本実施例の低速倍速用記録エリアは、このことを踏まえ、４５００ｒｐｍシステムのドラム構成を使用する場合に９０００ｒｐｍシステムのドラム構成を使用する場合と同一の再生速度で、同等の再生シンクブロック数を得ることができるものである。すなわち、４５００ｒｐｍのドラム構成を使用する場合には、ＢチャンネルのヘッドによるＢチャンネル低速倍速用記録エリアから再生することができないエリアをＡチャンネルのヘッドによりＡチャンネル低速倍速用記録エリアからの再生信号により補うことができる。
【０１１６】
また、図１９のブロックに割り振った番号１〜１８は同一番号であれば同一データを示すものである。図においてＢチャンネル低速倍速用記録エリア１７１の上下端部分のデータよりＡチャンネル低速倍速用記録エリア１７０のデータを構成している。理由は上述した通りである。
【０１１７】
また、図１９の１７０のデータは２０シンクブロックから成るデータであり、１７１のデータは３０シンクブロックから成るデータであり、１７２ａ〜１７２ｆ、及び１７３ａ〜１７３ｆのデータは５シンクブロックから成るデータである。なお、各データに割り当てたシンクブロック数は、実施例１と同様に高速再生時に各倍速数において収得可能なシンクブロック数を算出した結果（図６参照）に基づくものである。
【０１１８】
各特再エリアをトラックに配した１例が図２０である。図の見方は実施例１の図７と同様であるので説明は省略する。１６０〜１６３は図７に示したものと同一であるので説明は省略する。ｆ０、ｆ１、ｆ２はそれぞれのトラックを識別するためのパイロット信号を示している。エリア１７０、１７１、１７２ａ〜１７２ｆ、及び１７３ａ〜１７３ｆ以外のトラックのエリアは通常再生用のデータを記録するメインエリアとして使用される。４倍速のエリア１７１は９０００ｒｐｍのドラム構成の場合、４倍速再生時にヘッドの１スキャンで１つの集中したエリアのデータとして再生することができる。また、４５００ｒｐｍのドラム構成の場合には、エリア１７１からの再生データを隣接するエリア１７０のデータで補うことにより４倍速用記録データを全て再生することができる。また、１６倍速のエリア１７２ａ〜１７２ｆは９０００ｒｐｍのドラム構成の場合、１６倍速再生時にヘッドの１スキャンで６つのエリアのデータとして再生することができる。また、４５００ｒｐｍのドラム構成の場合には、１６倍速の１／２の速度である８倍速再生時にヘッドの１スキャンで６つのエリアのデータとして再生することができる。また、−１６倍速のエリア１７３ａ〜１７３ｆは９０００ｒｐｍのドラム構成の場合、−１６倍速再生時にヘッドの１スキャンで６つのエリアのデータとして再生することができる。また、４５００ｒｐｍのドラム構成の場合には、−１６倍速の１／２の速度である−８倍速再生時にヘッドの１スキャンで６つのエリアのデータとして再生することができる。
【０１１９】
なお、１６倍速用記録データと、−１６倍速用記録データはデータレート等の内容は同一のものであり、図３に示すＳＢフォーマット回路１４３により各データのトラック上への配置位置が１６倍速用と−１６倍速用で逆になるようフォーマット生成する。すなわち図２０において、１６倍速用データエリアであるエリア１７２ａに記録するデータと同一のデータを−１６倍速用データエリアであるエリア１７３ｆに記録し、以下、エリア１７２ｂとエリア１７３ｅ、エリア１７２ｃとエリア１７３ｄ、エリア１７２ｄとエリア１７３ｃ、エリア１７２ｅとエリア１７３ｂ、そして最後にエリア１７２ｆとエリア１７３ａが同一データを記録するエリアとなるように記録フォーマットを生成する。
【０１２０】
また、図２０において、１６倍速用データエリア、及び−１６倍速用データエリアは、テープの外側のデータエリアほど同一データの二重書き部分を多くしてもよい。図２０においてはテープの中心に位置する１７２ｃ、及び１７２ｄ、あるいは１７３ｃ、及び１７３ｄのエリアよりテープの外側にあたる１７２ｂ、及び１７２ｅ、あるいは１７３ｂ、及び１７３ｅのエリアを多くとり、さらに１７２ａ、及び１７２ｆ、あるいは１７３ａ、及び１７３ｆのエリアを多くしてもよい。このようにエリアを確保することにより、９０００ｒｐｍシステムでの１６倍速再生、及び−１６倍速再生と、４５００ｒｐｍシステムでの８倍速、及び−８倍速とのヘッド走査軌跡の多少のずれに対応することができ、より確実に高速再生を行うことが出来る。
【０１２１】
なお、４倍速用データエリア、１６倍速用データエリア、及び−１６倍速用データエリアのエリア数はこれに限るものではない。
【０１２２】
上記説明を、具体的に画面の再生位置を示すことにより説明する。図２１に（１）フレームの再生画面図を示す。本実施例では１フレームを６つのエリアに分割した場合について説明する。（なお、画面の分割数はこれに限るものではない。）図のように６等分されたデータを図２０に示す１６倍速用データエリア、及び−１６倍速用データエリアに配置する。１６倍速用については（１）の部分のデータはエリア１７２ａに記録され、以下、（２）はエリア１７２ｂ、（３）はエリア１７２ｃ、（４）はエリア１７２ｄ、（５）はエリア１７２ｅ、（６）はエリア１７２ｆに記録される。一方、−１６倍速用については（６）の部分のデータが１７３ａに記録され、以下、（５）はエリア１７３ｂ、（４）はエリア１７３ｃ、（３）はエリア１７３ｄ、（２）はエリア１７３ｅ、（１）はエリア１７３ｆに記録される。このようにデータを記録することにより−１６倍速再生のような逆方向の高速再生時においても、正方向の高速再生時と同様に再生時に画面の上端部分から下端部分に向かう順に再生データが得られるため、逆方向再生時にも、特別な逆方向再生用の並べ換え用メモリを設けることなく、高速再生を実現することができる。
【０１２３】
また、図２０に示した１単位のデータ配置によれば、４倍速再生時、１６倍速再生時、及び−１６倍速再生時に図に示すＩＴＩのエリアと、サブコードのエリアをヘッドがスキャンする。すなわちＩＴＩエリアでトラッキングを制御するためのパイロット信号ｆ０、ｆ１、ｆ２を得ることができ、また、サブコードエリアもヘッドがスキャンするため、サブコードエリアに頭出し機能である時間情報や曲番情報等の付加情報を記録することにより機能を加えることが可能である。
【０１２４】
図２０に示した１単位を繰り返し、記録していくことで磁気テープ上に記録パターンを形成していく。図２２にその記録パターンを示す。ここで、本実施例では４倍速用のデータは２回繰り返し記録し、１６倍速用、及び−１６倍速用のデータは８回繰り返し記録する。
【０１２５】
このように記録パターンを形成する事で、トラック曲がりやヘッド走査軌跡の曲がり等の影響を最小限に抑えることができる。またそれぞれ倍速の専用エリアを設けているので、リフレッシュや、画質をそれぞれの倍速に応じて設定することができる。また、高速再生時にＩＴＩエリア、及びサブコードエリアをヘッドがスキャンするため、サブコードエリアに記録する信号を用いて頭出し機能等の付加機能を得ることが可能となる。また、逆方向の高速再生用記録エリアを設けることにより、逆方向再生時に専用の並べ変え用メモリを搭載することなく逆方向の高速再生を実現することが出来る。
【０１２６】
実施例６．
実施例６では、実施例５のように記録した磁気テープの再生を説明する。実施例５では低速倍速として４倍速を採用した。また、９０００ｒｐｍシステムでは正方向の高速倍速として１６倍速、および逆方向の高速倍速数として−１６倍速を設定し、また、４５００ｒｐｍシステムでは正方向の高速倍速として８倍速、逆方向の高速倍速として−８倍速を設定した。実施例６ではそれぞれの設定倍速での再生を行う。
【０１２７】
図２３は１Ｃｈ×２のドラム構成で４倍速再生したときの図である。矢印は４倍速再生時のヘッドのスキャンを示す。このとき４倍速用の特再データエリアでトラッキングを制御するようにする。４倍速用の特再データはＢチャンネルで記録されており、また２単位繰り返し記録されているので、２単位の一方をＡチャンネルのヘッドがスキャンし、他方をＢチャンネルのヘッドがスキャンするためＢチャンネルのヘッドによって記録された４倍速用の特再データを再生することができる。またこのとき、ヘッドはサブコードエリアをスキャンし、サブコードエリアの信号を得ることが出来る。
【０１２８】
図２４は２Ｃｈ×１のドラム構成で４倍速再生したときの図である。矢印は４倍速再生時のヘッドのスキャンを示す。このとき４倍速用の特再データエリアでトラッキングを制御するようにする。４倍速用の特再データはＢチャンネルで記録されており、また２単位繰り返し記録されているので、２単位の一方を必ず２Ｃｈのヘッドがスキャンする。よってＢチャンネルのヘッドによって記録された４倍速用の特再データを再生することができる。またこのとき、ヘッドはサブコードエリアをスキャンし、サブコードエリアの信号を得ることが出来る。
【０１２９】
図２５は２Ｃｈ×２のドラム構成で４倍速再生したときの図である。矢印は４倍速再生時のヘッドのスキャンを示す。このとき４倍速用の特再データエリアでトラッキングを制御するようにする。４倍速用の特再データはＢチャンネルで記録されており、また２単位繰り返し記録されているので、２単位の一方を必ず２Ｃｈのヘッドがスキャンする。しかし、実施例５に示した理由によりＢチャンネルだけでは４倍速の特再データ全てを再生することができない。よって、Ａチャンネルのヘッドによって再生されるＡチャンネルのヘッドにより記録された４倍速用の特再データと合成することで再生することができる。またこのとき、ヘッドはサブコードエリアをスキャンし、サブコードエリアの信号を得ることが出来る。
【０１３０】
図２６は１Ｃｈ×２のドラム構成で１６倍速再生したときの図である。矢印は１６倍速再生時のヘッドのスキャンを示す。１６倍速用の特再データはＡチャンネルで記録されており、また８単位繰り返し記録されているので、８単位のうちの１単位の１６倍速用の特再データをＡチャンネルのヘッドがスキャンし、８単位のうちの別の１単位の１６倍速用の特再データをＢチャンネルのヘッドがスキャンする。よってＡチャンネルのヘッドによって記録された１６倍速用のデータを再生することができる。またこのとき、ヘッドはサブコードエリアをスキャンし、サブコードエリアの信号を得ることが出来る。なお、ＩＴＩエリアに記録されているパイロット信号によりトラッキングをかけることもできる。
【０１３１】
図２７は２Ｃｈ×１のドラム構成で１６倍速再生したときの図である。矢印は１６倍速再生時のヘッドのスキャンを示す。１６倍速用の特再データは８単位繰り返し記録されているので、８単位のうちの１単位の１６倍速用の特再データを必ず２Ｃｈのヘッドがスキャンする。よって、Ａチャンネルのヘッドによって記録された１６倍速用の特再データを再生することができる。またこのとき、ヘッドはサブコードエリアをスキャンし、サブコードエリアの信号を得ることが出来る。なお、ＩＴＩエリアに記録されているパイロット信号によりトラッキングをかけることもできる。
【０１３２】
図２８は２Ｃｈ×２のドラム構成で８倍速再生したときの図である。矢印は８倍速再生時のヘッドのスキャンを示す。１６倍速用の特再データは８単位繰り返し記録されているので、８単位のうちの１単位を必ず２Ｃｈのヘッドがスキャンする。よって、Ａチャンネルのヘッドによって記録された１６倍速用の特再データを８倍速再生時に再生することができる。
【０１３３】
図２９は１Ｃｈ×２のドラム構成で−１６倍速再生したときの図である。矢印は−１６倍速再生時のヘッドのスキャンを示す。−１６倍速用の特再データはＡチャンネルで記録されており、また８単位繰り返し記録されているので、８単位のうちの１単位の−１６倍速用の特再データをＡチャンネルのヘッドがスキャンし、８単位のうちの別の１単位の−１６倍速用の特再データをＢチャンネルのヘッドがスキャンする。よって、Ａチャンネルのヘッドによって記録された−１６倍速用のデータを再生することができる。またこのとき、ヘッドはサブコードエリアをスキャンし、サブコードエリアの信号を得ることが出来る。なお、ＩＴＩエリアに記録されているパイロット信号によりトラッキングをかけることもできる。
【０１３４】
図３０は２Ｃｈ×１のドラム構成で−１６倍速再生したときの図である。矢印は−１６倍速再生時のヘッドのスキャンを示す。−１６倍速用の特再データは８単位繰り返し記録されているので、８単位のうちの１単位の−１６倍速用の特再データを必ず２Ｃｈのヘッドがスキャンする。よって、Ａチャンネルのヘッドによって記録された−１６倍速用の特再データを再生することができる。またこのとき、ヘッドはサブコードエリアをスキャンし、サブコードエリアの信号を得ることが出来る。なお、ＩＴＩエリアに記録されているパイロット信号によりトラッキングをかけることもできる。
【０１３５】
図３１は２Ｃｈ×２のドラム構成による−８倍速再生の図である。矢印は−８倍速再生時のヘッドのスキャンを示す。−１６倍速用の特再データは８単位繰り返し記録されているので、８単位のうちの１単位を必ず２Ｃｈのヘッドがスキャンする。よって、Ａチャンネルのヘッドによって記録された−１６倍速用の特再データを−８倍速再生時に再生することができる。
【０１３６】
再生時の信号の処理については図１６に示すものと構成も動作も同一であるので説明は省略する。
【０１３７】
このように、通常再生時にはメインエリアに記録したデータのみを使用し、各種再生速度における特再の場合には各特再エリアに記録したデータのみを使用することでディジタルＶＴＲに要求される通常再生、各再生速度における特再を達成することができる。
【０１３８】
実施例７．
実施例７では、実施例１において図５に示した特再エリアのデータ構成の一例を説明する。図３２に本実施例の特再エリアのデータ構成を示す。実施例１において図５中の１〜１０までのエリアは同一番号のものは同一のデータを記録するエリアであるものとした。本実施例においては図５に基づき、さらに特再データを特再用の画像データ、及び高速再生時に発生する誤りを訂正するため、特再データに付加される特再用の誤り訂正符号（ＥＣＣ）データに分けた場合のデータ構成、及びデータ配置について説明する。図５において１５０のエリア１、及び１５１ａのエリア３、１５１ｂのエリア５、１５１ｃのエリア７、１５１ｄのエリア９は同一データの２重書きエリアであった。図３２ではこれらの２重書きエリアに記録するデータの内部構成を示す。まず、１５０の２つのエリア１は図のようにともに５シンクブロックから成るデータ１、及びＥＣＣ１により構成する。た、１５０のエリア２はデータ２のみにより構成する。さらに、１５１ａの２つのエリア３はともにデータ３により構成する。また、１５１ａのエリア４はデータ４により構成する。以下、１５１ｂの２つのエリア５はともにデータ５により構成し、１５１ｂのエリア６はデータ６により構成し、同様に１５１ｃの２つのエリア７はともにデータ７により構成し、１５１ｃのエリア８はデータ８により構成する。最後の１５１ｄの２つのエリア９はともにＥＣＣ９により構成し、１５１ｄのエリア１０はデータ１０により構成する。
【０１３９】
以上のようにデータの２重書きエリアに画像データとＥＣＣデータをともに２重書きするようにデータ構成をすることにより、１５０のエリアより再生される４倍速用データのＥＣＣ符号の構成は（４０，３５，６）ＲＳ符号（（符号長４０、情報数３５、距離６）の積符号形式誤り訂正符号であるリードソロモン符号。）となる。
【０１４０】
この時のデータの再生状態と誤り訂正能力について図３３（１）を用いて説明する。図３３（１）（ａ）のように５０シンクブロックの１５０のエリアのデータが全て再生される場合（図中の矢印で再生された部分を示す。）は、情報数３５個に対し、５個までの誤りを訂正することができる。また、図３３（１）（ｂ）のように５０シンクブロックの１５０エリアのうちトラック下端部分のエリア１に記録されたデータ１の５シンクブロック分が再生されない場合も同様に、情報数３５個に対し、５個までの誤りを訂正することができる。また、図３３（１）（ｃ）のように５０シンクブロックの１５０エリアのうち下端部分のエリア１に記録された各５シンクブロックのデータ１、及びＥＣＣ１の計１０シンクブロック分が再生されない場合も同様に、情報数３５個に対し、５個までの誤りを訂正することができる。また、図３３（１）（ｄ）のように５０シンクブロックの１５０エリアのうち上端部分のエリア１に記録されたＥＣＣ１の５シンクブロック分が再生されない場合も同様に、情報数３５個に対し、５個までの誤りを訂正することができる。また、図３３（１）（ｅ）のように５０シンクブロックの１５０エリアのうち上端部分のエリア１に記録された各５シンクブロックのデータ１、及びＥＣＣ１の計１０シンクブロック分が再生されない場合も同様に、情報数３５個に対し、５個までの誤りを訂正することができる。
【０１４１】
また、１６倍速用データのＥＣＣ符号の構成も（４０，３５，６）ＲＳ符号となる。この時のデータの再生状態と誤り訂正能力について図３３（２）を用いて説明する。なお、４つの１６倍速エリアである１５１ａ〜１５１ｄはヘッド１走査により再生されるものであり、各エリアの再生状態はほぼ同一として説明する。図３３（２）（ａ）のように１５シンクブロックの１５１ａ〜１５１ｄのエリアのデータが全て再生される場合（図中の矢印で再生された部分を示す。）は、情報数３５個に対し、５個までの誤りを訂正することができる。また、図３３（２）（ｂ）のように１５シンクブロックの１５１ａ〜１５１ｄの各エリアのうちトラック下端部分のエリア３、エリア５、エリア７、エリア９に記録された、それぞれ順にデータ３、データ５、データ７、ＥＣＣ９の各５シンクブロック分が再生されない場合も同様に、情報数３５個に対し、５個までの誤りを訂正することができる。また、図３３（２）（ｃ）のように１５シンクブロックの１５１ａ〜１５１ｄの各エリアのうちトラック上端部分のエリア３、エリア５、エリア７、エリア９に記録された、それぞれ順にデータ３、データ５、データ７、ＥＣＣ９の各５シンクブロック分が再生されない場合も同様に、情報数３５個に対し、５個までの誤りを訂正することができる。このようにデータ構成をすることにより４倍速用、及び１６倍速用の特再データでＥＣＣの構成が共通のものとなり、ＥＣＣ回路が共有できるため回路規模の削減を図ることができる。
【０１４２】
実施例８．
実施例８においても上記実施例７と同様に、実施例１において図５に示した特再エリアのデータ構成の一例を説明する。図３４に本実施例の特再エリアに記録する特再データを特再用の画像データ、及び特再用のＥＣＣデータに分けた場合のデータ構成、及びデータ配置について説明する。図３４において、まず、１５０の２つのエリア１は図のように、トラックの下端部分にあたる方（エリア２の下の部分）は５シンクブロックから成るデータ１、及びＥＣＣ１Ａにより構成する。一方、トラックの上端部分にあたる方（エリア２の上の部分）は５シンクブロックから成るデータ１、及びＥＣＣ１Ｂにより構成する。なお、ＥＣＣ１Ａ、及びＥＣＣ１Ｂは異なるＥＣＣデータである。また、１５０のエリア２はデータ２のみにより構成する。さらに、１５１ａの２つのエリア３はともにデータ３により構成する。また、１５１ａのエリア４はデータ４により構成する。以下、１５１ｂの２つのエリア５はともにデータ５により構成し、１５１ｂのエリア６はデータ６により構成し、同様に１５１ｃの２つのエリア７はともにデータ７により構成し、１５１ｃのエリア８はデータ８により構成する。最後の１５１ｄの２つのエリア９は図のように、トラックの下端部分にあたる方（エリア１０の下の部分）は５シンクブロックから成るＥＣＣ９Ａにより構成する。一方、トラックの上端部分にあたる方（エリア１０の上の部分）は５シンクブロックから成るＥＣＣ９Ｂにより構成する。なお、ＥＣＣ９Ａ、及びＥＣＣ９Ｂはそれぞれ異なるデータである。また、１５１ｄのエリア１０はデータ１０により構成する。
【０１４３】
以上のようにデータの２重書きエリアに画像データは２重書きし、またＥＣＣデータは同一データを１度だけ書くようにデータ構成をすることにより、１５０のエリアより再生される４倍速用データのＥＣＣ符号の構成は（４５，３５，１１）ＲＳ符号（（符号長４５、情報数３５、距離１１）の積符号形式誤り訂正符号であるリードソロモン符号。）となる。
【０１４４】
この時のデータの再生状態と誤り訂正能力について図３５（１）を用いて説明する。図３５（１）（ａ）のように５０シンクブロックの１５０のエリアのデータが全て再生される場合（図中の矢印で再生された部分を示す。）は、情報数３５個に対し、１０個までの誤りを訂正することができる。また、図３５（１）（ｂ）のように５０シンクブロックの１５０エリアのうちトラック下端部分のエリア１に記録されたデータ１の５シンクブロック分が再生されない場合も同様に、情報数３５個に対し、１０個までの誤りを訂正することができる。また、図３５（１）（ｃ）のように５０シンクブロックの１５０エリアのうち下端部分のエリア１に記録された各５シンクブロックのデータ１、及びＥＣＣ１Ａの計１０シンクブロック分が再生されない場合は情報数３５個に対し、５個までの誤りを訂正することができる。また、図３５（１）（ｄ）のように５０シンクブロックの１５０エリアのうち上端部分のエリア１に記録されたＥＣＣ１Ｂの５シンクブロック分が再生されない場合は、情報数３５個に対し、５個までの誤りを訂正することができる。また、図３５（１）（ｅ）のように５０シンクブロックの１５０エリアのうち上端部分のエリア１に記録された各５シンクブロックのデータ１、及びＥＣＣ１Ｂの計１０シンクブロック分が再生されない場合は、情報数３５個に対し、５個までの誤りを訂正することができる。
【０１４５】
また、１６倍速用データのＥＣＣ符号の構成も（４５，３５，１１）ＲＳ符号となる。この時のデータの再生状態と誤り訂正能力について図３５（２）を用いて説明する。なお、４つの１６倍速エリアである１５１ａ〜１５１ｄはヘッド１走査により再生されるものであり、各エリアの再生状態はほぼ同一として説明する。図３５（２）（ａ）のように１５シンクブロックの１５１ａ〜１５１ｄのエリアのデータが全て再生される場合（図中の矢印で再生された部分を示す。）は、情報数３５個に対し、１０個までの誤りを訂正することができる。また、図３５（２）（ｂ）のように１５シンクブロックの１５１ａ〜１５１ｄの各エリアのうちトラック下端部分のエリア３、エリア５、エリア７、エリア９に記録された、それぞれ順にデータ３、データ５、データ７、ＥＣＣ９Ａの各５シンクブロック分が再生されない場合は、情報数３５個に対し、５個までの誤りを訂正することができる。また、図３５（２）（ｃ）のように１５シンクブロックの１５１ａ〜１５１ｄの各エリアのうちトラック上端部分のエリア３、エリア５、エリア７、エリア９に記録された、それぞれ順にデータ３、データ５、データ７、ＥＣＣ９Ｂの各５シンクブロック分が再生されない場合は、情報数３５個に対し、５個までの誤りを訂正することができる。このようにデータ構成をすることにより４倍速用、及び１６倍速用の特再データでＥＣＣの構成が共通のものとなり、ＥＣＣ回路が共有できるため回路規模の削減を図ることができる。
【０１４６】
実施例９．
実施例９においても上記実施例７、及び実施例８と同様に、実施例１において図５に示した特再エリアのデータ構成の一例を説明する。図３６に本実施例の特再エリアに記録する特再データを特再用の画像データ、及び特再用のＥＣＣデータに分けた場合のデータ構成、及びデータ配置について説明する。図３６において、まず、１５０の２つのエリア１は図のように、トラックの下端部分にあたる方（エリア２の下の部分）は１０シンクブロックから成るＥＣＣ１Ａにより構成する。一方、トラックの上端部分にあたる方（エリア２の上の部分）は１０シンクブロックから成るＥＣＣ１Ｂにより構成する。なお、ＥＣＣ１Ａ、及びＥＣＣ１Ｂはそれぞれ異なるＥＣＣデータである。また、１５０のエリア２はデータ２により構成する。さらに、１５１ａの２つのエリア３はともにデータ３により構成し、１５１ａのエリア４はデータ４により構成する。以下同様に、１５１ｂの２つのエリア５はともにデータ５により構成し、１５１ｂのエリア６はデータ６により構成する。また、１５１ｃの２つのエリア７は図のように、トラックの下端部分にあたる方（エリア８の下の部分）は５シンクブロックから成るＥＣＣ７Ａにより構成する。一方、トラックの上端部分にあたる方（エリア８の上の部分）は５シンクブロックから成るＥＣＣ９Ｂにより構成する。なお、ＥＣＣ７Ａ、及びＥＣＣ７Ｂはそれぞれ異なるデータである。また、１５１ｃのエリア８はデータ８により構成する。最後の１５１ｄの２つのエリア９は図のように、トラックの下端部分にあたる方（エリア１０の下の部分）は５シンクブロックから成るＥＣＣ９Ａにより構成する。一方、トラックの上端部分にあたる方（エリア１０の上の部分）は５シンクブロックから成るＥＣＣ９Ｂにより構成する。なお、ＥＣＣ９Ａ、及びＥＣＣ９Ｂはそれぞれは異なるデータである。また、１５１ｄのエリア１０はデータ１０により構成する。
【０１４７】
以上のように実施例１において図５に示したデータの２重書きエリアに画像データ、及びＥＣＣデータをともに同一データを１度だけ書くようにデータ構成をすることにより、１５０のエリアより再生される４倍速用データのＥＣＣ符号の構成は（５０，３０，２１）ＲＳ符号（（（符号長５０、情報数３０、距離２１）の積符号形式誤り訂正符号であるリードソロモン符号。）となる。
【０１４８】
この時のデータの再生状態と誤り訂正能力について図３７（１）を用いて説明する。図３７（１）（ａ）のように５０シンクブロックの１５０のエリアのデータが全て再生される場合（図中の矢印で再生された部分を示す。）は、情報数３０個に対し、２０個までの誤りを訂正することができる。また、図３７（１）（ｂ）のように５０シンクブロックの１５０エリアのうちトラック下端部分のエリア１に記録されたＥＣＣ１Ａの１０シンクブロック分が再生されない場合は、情報数３０個に対し、１０個までの誤りを訂正することができる。また、図３７（１）（ｃ）のように５０シンクブロックの１５０エリアのうち上端部分のエリア１に記録された１０シンクブロックのＥＣＣ１Ｂの１０シンクブロック分が再生されない場合は、情報数３０個に対し、１０個までの誤りを訂正することができる。
【０１４９】
また、１６倍速用データのＥＣＣ符号の構成も（５０，３０，２１）ＲＳ符号となる。この時のデータの再生状態と誤り訂正能力について図３７（２）を用いて説明する。なお、４つの１６倍速エリアである１５１ａ〜１５１ｄはヘッド１走査により再生されるものであり、各エリアの再生状態はほぼ同一として説明する。図３７（２）（ａ）のように１５シンクブロックの１５１ａ〜１５１ｄのエリアのデータが全て再生される場合（図中の矢印で再生された部分を示す。）は、情報数３０個に対し、２０個までの誤りを訂正することができる。また、図３７（２）（ｂ）のように１５シンクブロックの１５１ａ〜１５１ｄの各エリアのうちトラック下端部分のエリア３、エリア５、エリア７、エリア９に記録された、それぞれ順にデータ３、データ５、ＥＣＣ７Ａ、ＥＣＣ９Ａの各５シンクブロック分が再生されない場合は、情報数３０個に対し、１０個までの誤りを訂正することができる。また、図３７（２）（ｃ）のように１５シンクブロックの１５１ａ〜１５１ｄの各エリアのうちトラック上端部分のエリア３、エリア５、エリア７、エリア９に記録された、それぞれ順にデータ３、データ５、ＥＣＣ７Ｂ、ＥＣＣ９Ｂの各５シンクブロック分が再生されない場合は、情報数３０個に対し、１０個までの誤りを訂正することができる。このようにデータ構成をすることにより４倍速用、及び１６倍速用の特再データでＥＣＣの構成が共通のものとなり、ＥＣＣ回路が共有できるため回路規模の削減を図ることができる。
【０１５０】
なお、上記実施例７〜実施例９において特再用データエリアにおけるＥＣＣデータの配置位置を、実施例１において図５に示した各倍速再生用データエリアの両端に位置する特再データの２重書きエリアに配置する場合について説明したが、これに限るものではなく、各倍速数再生用データエリアの中央に位置する特再データの１度書き部分（図５の４倍速用エリアの例ではエリア２）に配置してもよい。
【０１５１】
また、上記実施例７〜実施例９において本実施例１の記録フォーマットを採用する場合の特再エリアについて説明したが、記録フォーマットはこれに限るものではなく、上記実施例７〜実施例９に示すデータ構成は実施例５に示すフォーマット等においても有効なものである。
【０１５２】
【発明の効果】
以上のように、本発明になる磁気記録再生装置は、請求項１によれば、複数の所定の倍速数（ｎ倍速）で高速再生を行う際に、高速再生に用いる信号を各倍速数毎に予め定められたアジマスのトラックに記録することで、効率のよい高速再生データ配置が行うことができるのでより高画質な高速再生画像を実現する装置を得ることができる。また、低速倍速再生用の信号を記録する第１のアジマスのトラックの領域Ａ、及び高速倍速再生用の信号を記録する第２のアジマスのトラックの領域Ｂとし、領域の大きさを領域Ａ＞領域Ｂとし、該領域Ａ、及び領域Ｂの両端に同一データを記録するコピーエリアを設けるので、高速再生時にトラック曲がりやヘッド走査軌跡の曲がり、あるいはテープ下端部分におけるトラックの記録開始点の誤差がある場合にも、データの２重書きにより高速再生データを補間することができるので上記による影響を最小限に抑えることができより信頼性の高い装置を得ることができる。
【０１５３】
また、請求項２によれば、複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録するので、高速再生時に効率よくデータ再生を行うことでき、また低速倍速再生時にはヘッドの１走査につき１つのトラックの１箇所だけで高速再生データを再生するようにしたので、トラックの曲がりや走査軌跡の曲がりが発生した場合でも該１箇所の高速再生データの記録領域を基準にヘッドを走査することで、正確にデータを再生することができるので信頼性の高い装置を得ることができる。
【０１５４】
また、請求項３によれば、複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、各倍速数再生時にヘッドがＩＴＩエリア、及びサブコードエリアを走査するので、サブコードエリアに付加情報を記録し、高速再生時に使用することができるのでより多機能な装置を得ることができる。
【０１５６】
また、請求項４によれば、低速倍速再生用、及び高速倍速再生用のデータを記録する領域Ａ、及び領域Ｂの両端に設けるコピーエリアを５シンクブロック単位で設けるので、高速再生時にトラック曲がりやヘッド走査軌跡の曲がり、あるいはテープ下端部分におけるトラックの記録開始点の誤差がある場合にも、データの２重書きにより高速再生データを補間することができるので上記による影響を最小限に抑えることができより信頼性の高い装置を得ることができる。
【０１５７】
また、請求項５によれば、低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を同一信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号を同一信号とするので、高速再生時にトラック曲がりやヘッド走査軌跡の曲がり、あるいはテープ下端部分におけるトラックの記録開始点の誤差がある場合にも、データの２重書きにより高速再生データを補間することができるので上記による影響を最小限に抑えることができより信頼性の高い装置を得ることができる。
【０１５８】
また、請求項６によれば、２種類のアジマスを有するヘッドで２ヘッドで２ｎ倍速、４ヘッドで倍速（ｎは偶数）のヘッド走査軌跡の中間の軌跡位置に高速再生用データを記録するので、ヘッド構成によって高速再生速度が制限されることがなく、使い勝手の良い装置が得られる。
【０１５９】
また、請求項７によれば、低速倍速再生用、及び高速倍速再生用のデータを記録する領域Ａ、及び領域Ｂの両端に設けるコピーエリアをテープの外側ほど多く設けるので、ヘッド構成によって高速再生速度が制限されることがなく、また、高速再生時にトラック曲がりやヘッド走査軌跡の曲がり、あるいはテープ下端部分におけるトラックの記録開始点の誤差がある場合にも、データの２重書きにより高速再生データを補間することができるので上記による影響を最小限に抑えることができ、より信頼性の高く使い勝手の良い装置を得ることができる。
【０１６０】
また、請求項８によれば、高速再生に用いる信号として偶数倍速の低速倍速、正方向の高速倍速、及び逆方向の高速倍速に用いる信号を記録するので、逆方向の再生時にも逆方向再生専用の再生データを並べ変えるための並べ変えメモリが不要となり、回路規模の削減を図ることができる。
【０１６１】
また、請求項９によれば、複数の偶数倍速の高速再生に用いる信号のうち、低速倍速再生用の信号を第１のアジマスのトラックの領域のうちヘッドの１走査につき１本のトラックの１箇所の領域に記録し、正方向の高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録するので、低速倍速再生時には１箇所の低速倍速再生データの記録領域を基準にヘッドを走査することにより正確にデータを再生することができ、また、正方向、及び逆方向の高速再生時にも１走査につき１本のトラックの複数の領域の高速再生用データが再生できるので効率のよい高速再生を行う装置を得ることができる。
【０１６２】
また、請求項１０によれば、複数の偶数倍速の高速再生に用いる信号のうち、低速倍速再生用の信号を第１のアジマスのトラックの領域のうちヘッドの１走査につき１本のトラックの１箇所の領域に記録し、高速倍速再生用の信号を第２のアジマスのトラックの領域のうちヘッドの１走査につき１本のトラックの複数の領域に記録し、逆方向の高速倍速再生用の信号を第２のアジマスのトラックの領域のうちヘッドの１走査につき１本のトラックの複数の領域に記録し、各倍速数再生時にヘッドがＩＴＩエリア、及びサブコードエリアを走査するので、サブコードエリアに付加情報を記録し、高速再生時に使用することができるのでより多機能な装置を得ることができる。
【０１６３】
また、請求項１１によれば、第１のアジマスのトラックにおいて低速倍速再生用の信号を記録する領域Ａを設け、後続する第２のアジマスのトラックにおいて低速倍速再生用の信号を記録する領域Ｂを設けるとともに、領域Ｂの長さを領域Ａの長さのほぼ２倍とし、領域Ｂの中心のトラック内での位置をほぼ領域Ａの中心のトラック内での位置と同一にするので、これを再生する装置においてヘッド構成が２ヘッドの場合には第２のアジマスのトラックにおける高速再生領域を再生し、４ヘッド構成の場合には第１および第２のアジマスのトラックの高速再生領域を再生することが可能で、２つのアジマスのヘッドの合計では両ヘッド構成とも同じ長さのトラック領域を再生できるので、同じ速度での高速再生で同じデータ量の高速再生データを用いることができる。このためヘッド構成によって高速再生速度が制限されることがなく、またどのヘッド構成でも高速再生の画像の品質を同一にできるので使い勝手の良い装置が得られる。
【０１６４】
また、請求項１２によれば、第２のアジマスのトラックに記録する領域Ｂをほぼ３等分し、３等分したデータの第１と第３のデータを第１のアジマスのトラックに記録するので、第１のアジマスのトラックに記録するデータが簡単な並べ変え手段により構成できる。
【０１６５】
また、請求項１３によれば、高速再生を行う速度に応じて記録するデータを構成し、各々異なるテープ領域に記録するので、各々の速度で高速再生を行うときに最も見やすい周期で切り替わる画面を記録することができる。
【０１６６】
また、請求項１４によれば、Ｍトラック単位で所定の配置のデータを繰り返し記録するようにしたので，高速再生を行うときにはＭトラックに１カ所記録されている高速再生データを再生するようにドラムの回転制御とテープ送りの速度制御をおこなえばよく、例えばＭ×ｎ倍速で高速再生を行うときにＭ×ｎトラックに１カ所高速再生データが記録されている場合と比較すると、再生速度を変更した場合の遷移状態での所定トラックへの移動量が平均して少なく、迅速に高速再生データを再生できる利点がある。
【０１６７】
また、請求項１５によれば、４トラック単位の所定の配置で高速再生データを記録するとともに、３種類のパイロット信号ｆ０，ｆ１，ｆ０，ｆ２を用いて、４つのトラックの任意のトラックを選んでヘッドを走査することができるので、パイロット信号をもとに所定の領域に記録した高速再生データを再生できる利点がある。
【０１６８】
また、請求項１６によれば、Ｍ×ｎ倍速用として記録したデータを用いてＭ×ｎ倍速以下の任意の偶数倍速度で再生ができるので使い勝手が良い装置が得られる。
【０１６９】
また、請求項１７によれば、低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ誤り訂正を行うためのＥＣＣデータと画像データから成る同一の信号とし、領域Ｂの両端のコピーエリアＢ１、及びＢ２に記録する信号を、それぞれ誤り訂正を行うためのＥＣＣデータと画像データから成る同一の信号とするので、安定した誤り訂正を行うことができ、信頼性の高い装置を得ることが出来る。また、高速倍速用と低速倍速用の誤り訂正符号が共通となるので、ＥＣＣ回路が共有できるため回路規模の削減が図れる。
【０１７０】
また、請求項１８によれば、低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号を、それぞれ異なるＥＣＣデータと同一の画像データを含む信号とし、領域Ｂの両端のコピーエリアＢ１、及びＢ２に記録する信号をそれぞれ異なるＥＣＣデータと同一の画像データを含む信号とするので安定した誤り訂正を行うことができ、信頼性の高い装置を得ることが出来る。また、高速倍速用と低速倍速用の誤り訂正符号が共通となるので、ＥＣＣ回路が共有できるため回路規模の削減が図れる。
【０１７１】
また、請求項１９によれば、低速倍速再生用の信号を記録する第１のアジマスのトラックの領域Ａ、及び高速倍速再生用の信号を記録する第２のアジマスのトラックの領域Ｂとし、該領域Ａ、及び領域Ｂの両端にそれぞれ同一データを記録するコピーエリアとしてＡ１、Ａ２、及びＢ１、Ｂ２を設けるときに、領域Ａの両端のコピーエリアＡ１、及びＡ２に記録する信号をそれぞれ異なるＥＣＣデータとし、領域ＢのコピーエリアＢ１、及びＢ２に記録する信号をそれぞれ異なるＥＣＣデータとするので、安定した誤り訂正を行うことができ、信頼性の高い装置を得ることが出来る。また、高速倍速用と低速倍速用の誤り訂正符号が共通となるので、ＥＣＣ回路が共有できるため回路規模の削減が図れる。
【０１７２】
また、請求項２０によれば、低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号を誤り訂正を行うためのＥＣＣデータと画像データを含む同一の信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をＥＣＣデータと画像データを含む同一の信号とするので、安定した誤り訂正を行うことができ、信頼性の高い装置を得ることが出来る。また、高速倍速用と低速倍速用の誤り訂正符号が共通となるので、ＥＣＣ回路が共有できるため回路規模の削減が図れる。
【０１７３】
また、請求項２１によれば、低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータと同一の画像データを含む信号とし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をそれぞれ異なるＥＣＣデータと同一の画像データを含む信号とするので、安定した誤り訂正を行うことができ、信頼性の高い装置を得ることが出来る。また、高速倍速用と低速倍速用の誤り訂正符号が共通となるので、ＥＣＣ回路が共有できるため回路規模の削減が図れる。
【０１７４】
また、請求項２２によれば、低速倍速再生用の信号を記録する第１のアジマスのトラックの領域Ａをほぼ５等分し、該領域をＡ１、Ａ２、Ａ３、Ａ４、Ａ５とするときに、領域Ａ１、及び領域Ａ５に記録する信号をそれぞれ異なるＥＣＣデータとし、高速倍速再生用の信号を記録する第２のアジマスのトラックの領域Ｂをほぼ３等分し、該領域をＢ１、２、Ｂ３とするときに、領域Ｂ１、及び領域Ｂ３に記録する信号をそれぞれ異なるＥＣＣデータとするので、安定した誤り訂正を行うことができ、信頼性の高い装置を得ることが出来る。また、高速倍速用と低速倍速用の誤り訂正符号が共通となるので、ＥＣＣ回路が共有できるため回路規模の削減が図れる。
【図面の簡単な説明】
【図１】本発明の一実施例を示す図である。
【図２】本発明の特再データ作成回路のブロック図の１例である。
【図３】本発明のシンクブロック構成を行うブロック図の１例である。
【図４】本発明で採用する３種類のドラム構成を示す図である。
【図５】本発明の実施例１の特再エリアの構成を示す図である。
【図６】図４に示す３種類のドラム構成を採用した場合の高速再生時に収得可能なシンクブロックを示す図である。
【図７】本発明の実施例１の特再エリアの配置を含むトラックパターンを示す図である。
【図８】本発明の実施例１の記録パターンを示す図である。
【図９】本発明の特再データ作成回路の別な構成を示すブロック図である。
【図１０】本発明の実施例１で構成した記録パターンを１Ｃｈ×２のドラム構成で４倍速再生したときの図である。
【図１１】本発明の実施例１で構成した記録パターンを２Ｃｈ×１のドラム構成で４倍速再生したときの図である。
【図１２】本発明の実施例１で構成した記録パターンを２Ｃｈ×２のドラム構成で２倍速再生したときの図である。
【図１３】本発明の実施例１で構成した記録パターンを１Ｃｈ×２のドラム構成で１６倍速再生したときの図である。
【図１４】本発明の実施例１で構成した記録パターンを２Ｃｈ×１のドラム構成で１６倍速再生したときの図である。
【図１５】本発明の実施例１で構成した記録パターンを２Ｃｈ×２のドラム構成で８倍速再生したときの図である。
【図１６】本発明の実施例１で構成した記録パターンを再生したときの信号の処理を示す図である。
【図１７】本発明の実施例１で構成した記録パターンを１Ｃｈ×２のドラム構成で４倍速用の特再エリアを２倍速再生したときの図である。
【図１８】本発明の実施例１で構成した記録パターンを２Ｃｈ×１のドラム構成で４倍速用の特再エリアを２倍速再生したときの図である。
【図１９】本発明の実施例５の特再エリアの構成を示す図である。
【図２０】本発明の実施例５の特再エリアの配置を含むトラックパターンを示す図である。
【図２１】正方向の高速再生と逆方向の高速再生のデータの構成を説明するための再生画面図である。
【図２２】本発明の実施例５の記録パターンを示す図である。
【図２３】本発明の実施例５で構成した記録パターンを１Ｃｈ×２のドラム構成で４倍速再生したときの図である。
【図２４】本発明の実施例５で構成した記録パターンを２Ｃｈ×１のドラム構成で４倍速再生したときの図である。
【図２５】本発明の実施例５で構成した記録パターンを２Ｃｈ×２のドラム構成で４倍速再生したときの図である。
【図２６】本発明の実施例５で構成した記録パターンを１Ｃｈ×２のドラム構成で１６倍速再生したときの図である。
【図２７】本発明の実施例５で構成した記録パターンを２Ｃｈ×１のドラム構成で１６倍速再生したときの図である。
【図２８】本発明の実施例５で構成した記録パターンを２Ｃｈ×２のドラム構成で８倍速再生したときの図である。
【図２９】本発明の実施例５で構成した記録パターンを１Ｃｈ×２のドラム構成で−１６倍速再生したときの図である。
【図３０】本発明の実施例５で構成した記録パターンを２Ｃｈ×１のドラム構成で−１６倍速再生したときの図である。
【図３１】本発明の実施例５で構成した記録パターンを２Ｃｈ×２のドラム構成で−８倍速再生したときの図である。
【図３２】本発明の実施例１の図５に示す特再エリアのＥＣＣを含むデータ構成の一例を示す図である。
【図３３】本発明の実施例１の図５に示す特再エリアのＥＣＣを含むデータ構成の一例における再生状態を説明するための図である。
【図３４】本発明の実施例１の図５に示す特再エリアのＥＣＣを含むデータ構成の一例を示す図である。
【図３５】本発明の実施例１の図５に示す特再エリアのＥＣＣを含むデータ構成の一例における再生状態を説明するための図である。
【図３６】本発明の実施例１の図５に示す特再エリアのＥＣＣを含むデータ構成の一例を示す図である。
【図３７】本発明の実施例１の図５に示す特再エリアのＥＣＣを含むデータ構成の一例における再生状態を説明するための図である。
【図３８】一般的な家庭用ディジタルＶＴＲのトラックを示す図である。
【図３９】ディジタルＶＴＲの通常再生時と、高速再生時におけるヘッドトレースを示す図である。
【図４０】従来の高速再生が可能なビットストリーム記録装置のブロック構成を示す図である。
【図４１】従来の再生時の概念を示す図である。
【図４２】高速再生時のヘッドトレースの一例を示す図である。
【図４３】３つのテープ速度のスキャン領域の一例を示す図である。
【図４４】異なるテープ速度のヘッドトレースの一例を示す図である。
【図４５】５倍速時のヘッドトレースの一例を示す図である。
【図４６】メインエリアと複写エリアの一例を示す図である。
【符号の説明】
１５０  Ｂチャンネル低速倍速用記録エリア、１５１ａ〜１５１ｄ  Ａチャンネル高速倍速用記録エリア、１６０  第１のトラック、１６１  第２のトラック、１６２  第３のトラック、１６３  第４のトラック、１７０  Ａチャンネル低速倍速用記録エリア、１７１  Ｂチャンネル低速倍速用記録エリア、１７２ａ〜１７２ｆ  Ａチャンネル正方向の高速倍速用記録エリア、１７３ａ〜１７３ｆ  Ａチャンネル逆方向の高速倍速用記録エリア。
【図１】
0003628047.tif 000002
【図２】
0003628047.tif 000003
【図３】
0003628047.tif 000004
【図４】
0003628047.tif 000005
【図５】
0003628047.tif 000006
【図６】
0003628047.tif 000007
【図７】
0003628047.tif 000008
【図８】
0003628047.tif 000009
【図９】
0003628047.tif 000010
【図１０】
0003628047.tif 000011
【図１１】
0003628047.tif 000012
【図１２】
0003628047.tif 000013
【図１３】
0003628047.tif 000014
【図１４】
0003628047.tif 000015
【図１５】
0003628047.tif 000016
【図１６】
0003628047.tif 000017
【図１７】
0003628047.tif 000018
【図１８】
0003628047.tif 000019
【図１９】
0003628047.tif 000020
【図２０】
0003628047.tif 000021
【図２１】
0003628047.tif 000022
【図２２】
0003628047.tif 000023
【図２３】
0003628047.tif 000024
【図２４】
0003628047.tif 000025
【図２５】
0003628047.tif 000026
【図２６】
0003628047.tif 000027
【図２７】
0003628047.tif 000028
【図２８】
0003628047.tif 000029
【図２９】
0003628047.tif 000030
【図３０】
0003628047.tif 000031
【図３１】
0003628047.tif 000032
【図３２】
0003628047.tif 000033
【図３３】
0003628047.tif 000034
【図３４】
0003628047.tif 000035
【図３５】
0003628047.tif 000036
【図３６】
0003628047.tif 000037
【図３７】
0003628047.tif 000038
【図３８】
0003628047.tif 000039
【図３９】
0003628047.tif 000040
【図４０】
0003628047.tif 000041
【図４１】
0003628047.tif 000042
【図４２】
0003628047.tif 000043
【図４３】
0003628047.tif 000044
【図４４】
0003628047.tif 000045
【図４５】
0003628047.tif 000046
【図４６】
0003628047.tif 000047